(57)【特許請求の範囲】
【請求項１】
第１対象者〜第Ｎ（Ｎは２以上の整数）対象者に対して、それぞれ、第１持分表〜第Ｎ持分表を発行する持分表発行装置であって、
前記第１持分表〜前記第Ｎ持分表の各々は、第１のくじ券欄〜第Ｎのくじ券欄と、第１の持分欄〜第Ｎの持分欄と、対象者欄とを含み、
前記第１のくじ券欄〜前記第Ｎのくじ券欄に、それぞれ、互いに異なるくじ券を割り当てるくじ券割当部と、
前記第１のくじ券欄〜前記第Ｎのくじ券欄に、それぞれ、前記割り当てられたくじ券に付与された記号列を記載する記号列記載部と、
前記第１の持分欄〜前記第Ｎの持分欄に、それぞれ、前記割り当てられたくじ券に金銭が付与されたときの持分を記載する持分記載部と、
前記第１持分表〜前記第Ｎ持分表に含まれる前記対象者欄に、それぞれ、前記第１対象者〜前記第Ｎ対象者を特定する情報を記載する対象者記載部と
を備え、
前記持分は、所定配分方式に従って決定され、
前記所定配分方式とは、前記第１対象者〜前記第Ｎ対象者の各々が、自己に割り当てられたくじ券に金銭が付与されたときに、金銭の一部を取得し、金銭の他の一部を他者に譲渡する方式のことであり、
前記第１持分表〜前記第Ｎ持分表のうちの第ｎ（ｎは１以上Ｎ以下の整数）持分表に含まれる前記第１の持分欄〜前記第Ｎの持分欄に記載される前記持分は、第ｎ対象者の持分を示し、
前記第１持分表〜前記第Ｎ持分表に含まれる第ｎのくじ券欄に割り当てられるくじ券は、同一であり、
前記第ｎ対象者の前記第ｎ持分表に含まれる第ｎの持分欄に記載される持分は、第ｋ（ｋは１以上Ｎ以下の整数のうちｎと異なる整数）対象者の第ｋ持分表に含まれる第ｎの持分欄に記載される持分と異なる、持分表発行装置。
【請求項２】
前記くじ券に印刷された前記記号列を読み取る記号列読取部をさらに備え、
前記記号列記載部は、前記記号列読取部から前記記号列を取得する、請求項１に記載の持分表発行装置。
【請求項３】
前記くじ券に付与する前記記号列は、ネットワークに接続された端末に入力され、
前記記号列記載部は、前記ネットワークを介して前記端末から前記記号列を取得する、請求項１又は請求項２に記載の持分表発行装置。
【請求項４】
前記記号列記載部と前記持分記載部と前記対象者記載部とは、名簿への記載を実行し、
前記名簿は、第１の名簿用くじ券欄〜第Ｎの名簿用くじ券欄と、第１の名簿用持分欄〜第Ｎの名簿用持分欄と、第１の名簿用対象者欄〜第Ｎの名簿用対象者欄とを含み、
前記記号列記載部は、前記第１の名簿用くじ券欄〜前記第Ｎの名簿用くじ券欄に、それぞれ、前記第１のくじ券欄〜前記第Ｎのくじ券欄に記載される前記記号列を記載し、
前記持分記載部は、第ｎの名簿用持分欄に、前記第ｎ持分表に含まれる前記第ｎの持分欄に記載される前記持分を記載し、
前記対象者記載部は、前記第１の名簿用対象者欄〜前記第Ｎの名簿用対象者欄に、それぞれ、前記第１対象者〜前記第Ｎ対象者を特定する前記情報を記載する、請求項１から請求項３のいずれか１項に記載の持分表発行装置。
【請求項５】
前記第１持分表〜前記第Ｎ持分表に含まれる第ｎの持分欄に記載する持分の合計が、前記第ｎのくじ券欄に割り当てられた前記くじ券に付与される金銭未満を示すように、前記持分記載部は、前記第ｎの持分欄の各々に持分を記載する、請求項１から請求項４のいずれか１項に記載の持分表発行装置。
【請求項６】
前記持分表は、クーポン欄をさらに含み、
前記クーポン欄に、クーポンの使用条件を記載するクーポン記載部をさらに備える、請求項１から請求項５のいずれか１項に記載の持分表発行装置。
【請求項７】
前記第ｎ持分表に含まれる前記第ｎのくじ券欄に割り当てられる前記くじ券は、前記第ｎ対象者に割り当てられるくじ券であり、
前記第ｎ持分表に含まれる前記第ｎの持分欄に記載される前記持分は、前記第ｎ対象者に割り当てられる前記くじ券に金銭が付与されたときの持分であり、
前記第ｎ持分表に含まれる前記第１のくじ券欄〜前記第Ｎのくじ券欄のうち、前記第ｎのくじ券欄以外のくじ券欄に割り当てられるくじ券は、前記第１対象者〜前記第Ｎ対象者のうち、前記第ｎ対象者以外の対象者に割り当てられるくじ券であり、
前記第ｎ持分表に含まれる前記第１の持分欄〜前記第Ｎの持分欄のうち、前記第ｎの持分欄以外の持分欄に記載される持分は、前記第１対象者〜前記第Ｎ対象者のうち、前記第ｎ対象者以外の対象者に割り当てられるくじ券に対する前記第ｎ対象者の持分である、請求項１から請求項６のいずれか１項に記載の持分表発行装置。
【請求項８】
持分表フォームを作成するフォーム作成部と、
複写部と
をさらに備え、
前記持分表フォームは、空欄の第１のくじ券欄〜第Ｎのくじ券欄と、空欄の第１の持分欄〜第Ｎの持分欄とを含み、
前記くじ券割当部は、前記持分表フォームの前記第１のくじ券欄〜前記第Ｎのくじ券欄に、それぞれ、互いに異なるくじ券を割り当て、
前記記号列記載部は、前記持分表フォームの前記第１のくじ券欄〜前記第Ｎのくじ券欄に、それぞれ、前記割り当てられたくじ券に付与された記号列を記載し、
前記複写部は、前記第１のくじ券欄〜前記第Ｎのくじ券欄に前記記号列が記載された前記持分表フォームを複数枚だけ複写して、空欄の前記第１の持分欄〜前記第Ｎの持分欄を含む第１持分表〜第Ｎ持分表を作成し、
前記持分記載部は、空欄の前記第１の持分欄〜前記第Ｎの持分欄を含む前記第１持分表〜前記第Ｎ持分表ごとに、空欄の前記第１の持分欄〜前記第Ｎの持分欄に、それぞれ、前記割り当てられたくじ券に金銭が付与されたときの持分を記載する、請求項１から請求項７のいずれか１項に記載の持分表発行装置。
【請求項９】
第１対象者〜第Ｎ（Ｎは２以上の整数）対象者に対して、それぞれ、第１持分表〜第Ｎ持分表を発行する持分表発行方法であって、
前記第１持分表〜前記第Ｎ持分表の各々は、第１のくじ券欄〜第Ｎのくじ券欄と、第１の持分欄〜第Ｎの持分欄と、対象者欄とを含み、
前記第１のくじ券欄〜前記第Ｎのくじ券欄に、それぞれ、互いに異なるくじ券を割り当てるステップと、
前記第１のくじ券欄〜前記第Ｎのくじ券欄に、それぞれ、前記割り当てられたくじ券に付与された記号列を記載するステップと、
前記第１の持分欄〜前記第Ｎの持分欄に、それぞれ、前記割り当てられたくじ券に金銭が付与されたときの持分を記載するステップと、
前記第１持分表〜前記第Ｎ持分表に含まれる前記対象者欄に、それぞれ、前記第１対象者〜前記第Ｎ対象者を特定する情報を記載するステップと
を含み、
前記持分は、所定配分方式に従って決定され、
前記所定配分方式とは、前記第１対象者〜前記第Ｎ対象者の各々が、自己に割り当てられたくじ券に金銭が付与されたときに、金銭の一部を取得し、金銭の他の一部を他者に譲渡する方式のことであり、
前記第１持分表〜前記第Ｎ持分表のうちの第ｎ（ｎは１以上Ｎ以下の整数）持分表に含まれる前記第１の持分欄〜前記第Ｎの持分欄に記載される前記持分は、第ｎ対象者の持分を示し、
前記第１持分表〜前記第Ｎ持分表に含まれる第ｎのくじ券欄に割り当てられるくじ券は、同一であり、
前記第ｎ対象者の前記第ｎ持分表に含まれる第ｎの持分欄に記載される持分は、第ｋ（ｋは１以上Ｎ以下の整数のうちｎと異なる整数）対象者の第ｋ持分表に含まれる第ｎの持分欄に記載される持分と異なる、持分表発行方法。
【請求項１０】
請求項９に記載の持分表発行方法をコンピューターに実行させるためのコンピュータープログラム。
【発明の詳細な説明】
【技術分野】
【０００１】
本発明は、持分表を発行する持分表発行装置、持分表発行方法、及びコンピュータープログラムに関する。
【背景技術】
【０００２】
特許文献１に記載されたグループ編成仲介システムは、宝くじのような抽選券を複数の申込者で共有する際のグループ編成を支援する。具体的には、グループ編成仲介システムは、当選金の配分を、人数割りではなく、譲渡割合コースに応じて配分する。例えば、ある譲渡割合コースでは、ある申込者の抽選券が当選した場合、その申込者は、当選金の９０％を保留し、当選金の１０％を他の申込者に譲渡する。
【０００３】
グループ編成仲介システムは、申し込みの際に、申込者に、自己の抽選券の番号と譲渡割合コースとを記載したレシートを提供する。
【先行技術文献】
【特許文献】
【０００４】
【特許文献１】特開２００１−２６５９００号公報
【発明の概要】
【発明が解決しようとする課題】
【０００５】
しかしながら、特許文献１に記載されたグループ編成仲介システムでは、申込者は、レシートを見ることによって、自己の抽選券の番号と譲渡割合コースとを把握できるだけである。
【０００６】
従って、申込者は、レシートを見ただけでは、複数の他の申込者の各々からの譲渡分と、複数の他の申込者の各々の抽選券の番号とを把握できない。
【０００７】
すなわち、グループ編成仲介システムでは、抽選券を複数の申込者で共有する際に、申込者の各々は、自己の抽選券の番号と、自己の抽選券に対する自己の持分とを把握できても、他の申込者の各々の抽選券の番号と、他の申込者の各々の抽選券に対する自己の持分を把握できない。
【０００８】
本発明は上記課題に鑑みてなされたものであり、その目的は、対象者が自己の持分を正確に把握できる持分表を発行できる持分表発行装置、持分表発行方法、及びコンピュータープログラムを提供することにある。
【課題を解決するための手段】
【０００９】
本発明の第１の観点によれば、持分表発行装置は、第１対象者〜第Ｎ（Ｎは２以上の整数）対象者に対して、それぞれ、第１持分表〜第Ｎ持分表を発行する。前記第１持分表〜前記第Ｎ持分表の各々は、第１のくじ券欄〜第Ｎのくじ券欄と、第１の持分欄〜第Ｎの持分欄と、対象者欄とを含む。持分表発行装置は、くじ券割当部と、記号列記載部と、持分記載部と、対象者記載部とを備える。くじ券割当部は、前記第１のくじ券欄〜前記第Ｎのくじ券欄に、それぞれ、互いに異なるくじ券を割り当てる。記号列記載部は、前記第１のくじ券欄〜前記第Ｎのくじ券欄に、それぞれ、前記割り当てられたくじ券に付与された記号列を記載する。持分記載部は、前記第１の持分欄〜前記第Ｎの持分欄に、それぞれ、前記割り当てられたくじ券に金銭が付与されたときの持分を記載する。対象者記載部は、前記第１持分表〜前記第Ｎ持分表に含まれる前記対象者欄に、それぞれ、前記第１対象者〜前記第Ｎ対象者を特定する情報を記載する。前記第１持分表〜前記第Ｎ持分表に含まれる第ｎ（ｎは１以上Ｎ以下の整数）のくじ券欄に割り当てられる前記くじ券は、同一である。第ｎ持分表に含まれる第ｎの持分欄に記載される前記持分は、第ｋ（ｋは１以上Ｎ以下の整数のうちｎと異なる整数）持分表に含まれる第ｎの持分欄に記載される前記持分と異なる。
【００１０】
本発明の持分表発行装置は、記号列読取部をさらに備えることが好ましい。記号列読取部は、前記くじ券に印刷された前記記号列を読み取ることが好ましい。前記記号列記載部は、前記記号列読取部から前記記号列を取得することが好ましい。
【００１１】
本発明の持分表発行装置において、前記くじ券に付与する前記記号列は、ネットワークに接続された端末に入力されることが好ましい。前記記号列記載部は、前記ネットワークを介して前記端末から前記記号列を取得することが好ましい。
【００１２】
本発明の持分表発行装置において、前記記号列記載部と前記持分記載部と前記対象者記載部とは、名簿への記載を実行することが好ましい。前記名簿は、第１の名簿用くじ券欄〜第Ｎの名簿用くじ券欄と、第１の名簿用持分欄〜第Ｎの名簿用持分欄と、第１の名簿用対象者欄〜第Ｎの名簿用対象者欄とを含むことが好ましい。前記記号列記載部は、前記第１の名簿用くじ券欄〜前記第Ｎの名簿用くじ券欄に、それぞれ、前記第１のくじ券欄〜前記第Ｎのくじ券欄に記載される前記記号列を記載することが好ましい。前記持分記載部は、第ｎの名簿用持分欄に、前記第ｎ持分表に含まれる前記第ｎの持分欄に記載される前記持分を記載することが好ましい。前記対象者記載部は、前記第１の名簿用対象者欄〜前記第Ｎの名簿用対象者欄に、それぞれ、前記第１対象者〜前記第Ｎ対象者を特定する前記情報を記載することが好ましい。
【００１３】
本発明の持分表発行装置において、前記第１持分表〜前記第Ｎ持分表に含まれる第ｎの持分欄に記載する前記持分の合計が、第ｎのくじ券欄に割り当てられた前記くじ券に付与される金銭未満を示すように、前記持分記載部は、前記第ｎの持分欄の各々に前記持分を記載することが好ましい。
【００１４】
本発明の持分表発行装置において、前記持分表は、クーポン欄をさらに含むことが好ましい。持分表発行装置は、前記クーポン欄に、クーポンの使用条件を記載するクーポン記載部をさらに備えることが好ましい。
【００１５】
本発明の第２の観点によれば、持分表発行方法は、第１対象者〜第Ｎ（Ｎは２以上の整数）対象者に対して、それぞれ、第１持分表〜第Ｎ持分表を発行する。前記第１持分表〜前記第Ｎ持分表の各々は、第１のくじ券欄〜第Ｎのくじ券欄と、第１の持分欄〜第Ｎの持分欄と、対象者欄とを含む。持分表発行方法は、前記第１のくじ券欄〜前記第Ｎのくじ券欄に、それぞれ、互いに異なるくじ券を割り当てるステップと、前記第１のくじ券欄〜前記第Ｎのくじ券欄に、それぞれ、前記割り当てられたくじ券に付与された記号列を記載するステップと、前記第１の持分欄〜前記第Ｎの持分欄に、それぞれ、前記割り当てられたくじ券に金銭が付与されたときの持分を記載するステップと、前記第１持分表〜前記第Ｎ持分表に含まれる前記対象者欄に、それぞれ、前記第１対象者〜前記第Ｎ対象者を特定する情報を記載するステップとを含む。前記第１持分表〜前記第Ｎ持分表に含まれる第ｎ（ｎは１以上Ｎ以下の整数）のくじ券欄に割り当てられる前記くじ券は、同一である。第ｎ持分表に含まれる第ｎの持分欄に記載される前記持分は、第ｋ（ｋは１以上Ｎ以下の整数のうちｎと異なる整数）持分表に含まれる第ｎの持分欄に記載される前記持分と異なる。
【００１６】
本発明の第３の観点によれば、コンピュータープログラムは、上記第２観点による持分表発行方法をコンピューターに実行させる。
【発明の効果】
【００１７】
本発明によれば、対象者が自己の持分を正確に把握できる持分表を発行できる持分表発行装置、持分表発行方法、及びコンピュータープログラムを提供できる。
【図面の簡単な説明】
【００１８】
【図１】本発明の実施形態１に係る持分表発行システムを示す図である。
【図２】実施形態１に係る変則配分方式で決定される持分を示す図である。
【図３】実施形態１に係る第１持分表〜第Ｎ持分表を示す図である。
【図４】実施形態１に係る名簿を示す図である。
【図５】実施形態１に係る持分表発行装置を示す図である。
【図６】実施形態１に係る持分表発行方法の一部を示すフローチャートである。
【図７】実施形態１に係る持分表フォームを示す図である。
【図８】実施形態１に係る配分表フォームを示す図である。
【図９】実施形態１に係る持分表発行方法の他の一部を示すフローチャートである。
【図１０】実施形態１に係る作成中の第１持分表〜第１１持分表を示す図である。
【図１１】実施形態１に係る持分表発行方法の更に他の一部を示すフローチャートである。
【図１２】実施形態１に係る作成中の第１持分表〜第１０持分表及び名簿を示す図である。
【図１３】実施形態１に係る配分表作成方法を示すフローチャートである。
【図１４】本発明の実施形態２に係る第１持分表〜第１０持分表及び名簿を示す図である。
【図１５】実施形態２に係る持分表発行方法を示すフローチャートである。
【発明を実施するための形態】
【００１９】
以下、本発明の実施形態について、図面を参照しながら説明する。なお、図中、同一または相当部分については同一の参照符号を付して説明を繰り返さない。
【００２０】
（実施形態１）
図１〜図４を参照して、本発明の実施形態１に係る持分表発行システム１００について説明する。図１は、持分表発行システム１００を示す図である。図１に示すように、持分表発行システム１００は、持分表発行装置１と、単数又は複数の窓口端末２００（端末）と、単数又は複数の会員端末３００（端末）と、単数又は複数の運営者端末４００とを備える。
【００２１】
窓口端末２００は、窓口となる店舗に配置された端末を示す。窓口は、持分表発行装置１の運営者の提供するサービスの窓口を示す。窓口端末２００は入力部２００ａを含む。会員端末３００は、会員の端末を示す。会員は、持分表発行装置１の運営者の提供するサービスの会員を示す。会員端末３００は入力部３００ａを含む。運営者端末４００は、運営者の端末を示す。運営者は、運営者端末４００を介して、持分表発行装置１を操作する。運営者端末４００は入力部４００ａを含む。入力部２００ａ、入力部３００ａ、及び入力部４００ａの各々は、例えば、ハードウェアキーボード、ソフトウェアキーボード、及びポインティングデバイスのうちの１以上を含む。
【００２２】
持分表発行装置１と窓口端末２００と会員端末３００と運営者端末４００とは、ネットワークＮＷに接続され、ネットワークＮＷを介して相互に通信する。ネットワークＮＷは、例えば、インターネット、ＬＡＮ（Ｌｏｃａｌ  Ａｒｅａ  Ｎｅｔｗｏｒｋ）、及び公衆電話網を含む。
【００２３】
持分表発行装置１は、第１会員（第１対象者）〜第Ｎ会員（第Ｎ対象者）が宝くじ券（くじ券）を共同購入するときに、第１会員〜第Ｎ会員に対して、それぞれ、第１持分表〜第Ｎ持分表を発行する。持分表発行装置１は、電子データとして、第１持分表〜第Ｎ持分表を発行する。第１持分表〜第Ｎ持分表には、それぞれ、宝くじ券に金銭が付与されたときの金銭の持分が記載されている。実施形態１では、第１持分表〜第Ｎ持分表には、それぞれ、宝くじ券が当選したときの当選金の持分が記載されている。従って、宝くじ券に金銭が付与されることは、宝くじ券が当選することを示し、宝くじ券に付与された金銭は、当選金を示す。
【００２４】
第１会員〜第Ｎ会員によって、宝くじ券を共同購入するための１つのグループが形成される。第１会員〜第Ｎ会員は、持分表発行装置１の運営者の提供するサービスの会員のうち、１つのグループを形成する会員である。
【００２５】
また、持分表発行装置１は、グループごとに名簿を発行する。名簿は、宝くじ券を共同購入したときのグループの名簿を示す。
【００２６】
実施形態１では、宝くじ券は、通常宝くじ券（通常くじ券）を示す。通常宝くじ券は、紙媒体として発行される。そして、通常宝くじ券には、発売前に、予め記号列が印刷されている。
【００２７】
本明細書において、記号列は、宝くじ券に金銭を付与するか否かを決定する記号列を示す。また、記号列は、複数の記号の列を示し、記号と記号との間にスペースを含んでいてもよい。記号列を構成する記号は、文字及び数字を含む概念として使用する。実施形態１では、記号列は、組及び番号を含み、例えば、「０６組  １５４９１０」である。
【００２８】
また、本明細書において、「Ｎ」は、２以上の整数であり、有限である。
【００２９】
次に、宝くじ券に付与された金銭の配分方式について説明する。実施形態１では、会員は、宝くじ券に付与された金銭の配分方式として、均等配分方式及び変則配分方式のいずれかを選択できる。
【００３０】
均等配分方式とは、宝くじ券に付与された金銭を第１会員〜第Ｎ会員に均等に配分する方式のことである。均等配分方式では、第１会員〜第Ｎ会員の持分は均等である。
【００３１】
変則配分方式とは、第１会員〜第Ｎ会員の各々が、自己に割り当てられた宝くじ券（以下、「メイン宝くじ券」と記載する。）に金銭が付与されたときに、金銭の一部を取得し、金銭の他の一部を他者に譲渡する方式のことである。従って、変則配分方式では、第１会員〜第Ｎ会員の各々は、メイン宝くじ券に対する自己の持分（以下、「メイン持分」と記載する。）と、他の会員に割り当てられた宝くじ券（以下、「サブ宝くじ券」と記載する。）に対する自己の持分（以下、「サブ持分」と記載する。）とが異なる。
【００３２】
「他者」は、他の会員だけを含んでいてもよいし、他の会員に加えて、第３者を含んでいてもよい。「他の会員」は、第１会員〜第Ｎ会員のうちの自己以外の会員を示す。
【００３３】
持分表発行装置１は、均等配分方式及び変則配分方式のいずれにおいても、第１持分表〜第Ｎ持分表を発行する。ただし、本明細書では、主に、変則配分方式が選択されたときの持分表発行装置１の動作について説明する。
【００３４】
次に、図２を参照して、実施形態１に係る変則配分方式について説明する。図２は、変則配分方式で決定される持分を示す図である。図２に示すように、第１会員〜第１０会員が、１０セットの宝くじ券ＬＴを共同購入する。つまり、Ｎ＝１０、である。１セットの宝くじ券ＬＴは、１０枚の宝くじ券からなる。１セットの宝くじ券ＬＴの料金は、３０００円である。
【００３５】
第１会員〜第１０会員の各々には、互いに異なる１セットの宝くじ券ＬＴが割り当てられる。従って、第１会員〜第１０会員の各々にとって、１０セットの宝くじ券ＬＴのうち、メイン宝くじ券ＬＴＭは１セットであり、サブ宝くじ券ＬＴＳは９セットである。
【００３６】
会員は、共同購入を申し込む際に、３つのコース（コースＣ１、コースＣ２、及びコースＣ３）の中から１つのコースを選択する。コースＣ１を９：１コースと記載し、コースＣ２を５：５コースと記載し、コースＣ３を１：９コースと記載する場合がある。コースＣ１〜コースＣ３の各々は、メイン持分とサブ持分とを示す。
【００３７】
コースＣ１では、メイン宝くじ券ＬＴＭに金銭が付与されたときの会員の持分は、メイン宝くじ券ＬＴＭに対して９０％（メイン持分）であり、サブ宝くじ券ＬＴＳに金銭が付与されたときの会員の持分は、サブ宝くじ券ＬＴＳの各々に対して１％（サブ持分）である。また、フリー枠として、第３者に、メイン宝くじ券ＬＴＭに付与された金銭の１％が譲渡される。つまり、メイン宝くじ券ＬＴＭに金銭が付与されたとき、第３者の持分は１％である。
【００３８】
また、コースＣ２では、会員の持分は、メイン宝くじ券ＬＴＭに対して５０％（メイン持分）であり、サブ宝くじ券ＬＴＳの各々に対して５％（サブ持分）である。メイン宝くじ券ＬＴＭに金銭が付与されたとき、第３者の持分は５％である。さらに、コースＣ３では、会員の持分は、メイン宝くじ券ＬＴＭに対して１０％（メイン持分）であり、サブ宝くじ券ＬＴＳの各々に対して９％（サブ持分）である。メイン宝くじ券ＬＴＭに金銭が付与されたとき、第３者の持分は９％である。
【００３９】
以上、図２を参照して説明したように、変則配分方式では、メイン宝くじ券ＬＴＭに金銭が付与された場合、会員は、金銭のＸ％を取得し、（１００−Ｘ）％を他者に譲渡する。従って、メイン宝くじ券ＬＴＭに対する会員の持分は、Ｘ％であり、サブ宝くじ券ＬＴＳの各々に対する会員の持分は、Ｙ％である。また、メイン宝くじ券ＬＴＭが当選したときの第３者の持分は、Ｚ％である。
【００４０】
持分Ｙ％と持分Ｚ％とは、譲渡分（１００−Ｘ）％から拠出される。例えば、Ｙ＝（１００−Ｘ−Ｚ）／（Ｎ−１）、である。例えば、Ｘ＞Ｙであり、Ｘ＞Ｚである。例えば、コースＣ１では、Ｘ＝９０、Ｙ＝１、Ｚ＝１、Ｎ＝１０である。
【００４１】
なお、ＹとＺとは、同じでもよいし、異なっていてもよい。また、フリー枠を設けずに、Ｚ＝０であってもよい。さらに、複数のサブ宝くじ券ＬＴＳに対して、持分を不均等に設定してもよい。
【００４２】
次に、図３を参照して、実施形態１に係る第１持分表Ｔ１〜第Ｎ持分表ＴＮについて説明する。図３は、第１持分表Ｔ１〜第Ｎ持分表ＴＮを示す図である。図３では、図面の簡略化のため、第２持分表Ｔ２〜第（Ｎ−１）持分表Ｔ（Ｎ−１）を省略し、第Ｎ持分表ＴＮを縮小するとともに詳細を省略している。
【００４３】
図３に示すように、持分表発行装置１は、第１会員〜第Ｎ会員に対して、それぞれ、第１持分表Ｔ１〜第Ｎ持分表ＴＮを発行する。
【００４４】
本明細書において、「第１〜第Ｎ」を区別して説明する必要のないときは、「第１〜第Ｎ」を「第ｎ」と記載する。「ｎ」は、１以上Ｎ以下の整数を示す。また、参照符号に付する「ｎ」は、「第ｎ」の「ｎ」に対応している。
【００４５】
第１持分表Ｔ１〜第Ｎ持分表ＴＮの各々は、タイトルユニット３と、第１のユニットＵ１〜第ＮのユニットＵＮと、クーポンユニット５とを含む。
【００４６】
タイトルユニット３は、コース欄３ａと、くじ券種別欄３ｂと、グループ欄３ｃとを含む。コース欄３ａには、コースの種別が記載され、くじ券種別欄３ｂには、宝くじ券の種別（種類及び回数）が記載され、グループ欄３ｃには、第１会員〜第Ｎ会員が所属するグループの識別情報（以下、「グループ識別情報」と記載する。）が記載される。
【００４７】
クーポンユニット５は、単数又は複数のクーポン欄５ａ（実施形態１では、３つのクーポン欄５ａ）を含む。クーポン欄５ａには、クーポンの使用条件が記載される。従って、第１会員〜第Ｎ会員は、クーポン欄５ａをクーポン券として使用することができる。
【００４８】
第１持分表Ｔ１〜第Ｎ持分表ＴＮの各々は、第１のユニット識別欄Ａ１〜第Ｎのユニット識別欄ＡＮと、第１の会員番号欄Ｂ１〜第Ｎの会員番号欄ＢＮと、第１の会員名欄Ｃ１（第１の対象者欄、対象者欄）〜第Ｎの会員名欄ＣＮ（第Ｎの対象者欄、対象者欄）と、第１のくじ券欄Ｄ１〜第Ｎのくじ券欄ＤＮと、第１の持分欄Ｅ１〜第Ｎの持分欄ＥＮと、第１のくじ券枚数欄Ｆ１〜第Ｎのくじ券枚数欄ＦＮとを含む。
【００４９】
そして、第ｎのユニットＵｎは、第ｎのユニット識別欄Ａｎと、第ｎの会員番号欄Ｂｎと、第ｎの会員名欄Ｃｎと、第ｎのくじ券欄Ｄｎと、第ｎの持分欄Ｅｎと、第ｎのくじ券枚数欄Ｆｎとを含む。例えば、第１のユニットＵ１は、第１のユニット識別欄Ａ１と、第１の会員番号欄Ｂ１と、第１の会員名欄Ｃ１と、第１のくじ券欄Ｄ１と、第１の持分欄Ｅ１と、第１のくじ券枚数欄Ｆ１とを含む。
【００５０】
第ｎ持分表Ｔｎの第ｎのユニットＵｎはマーキングされる。例えば、第１持分表Ｔ１では、第１のユニットＵ１がマーキングされ、第２のユニットＵ２〜第ＮのユニットＵＮはマーキングされない。なお、第ｎ持分表Ｔｎの第ｎのユニットＵｎがマーキングされたことは、第ｎのユニットＵｎに含まれる各欄、つまり、第ｎのユニット識別欄Ａｎ、第ｎの会員番号欄Ｂｎ、第ｎの会員名欄Ｃｎ、第ｎのくじ券欄Ｄｎ、第ｎの持分欄Ｅｎ、及び第ｎのくじ券枚数欄Ｆｎがマーキングされたことを示す。
【００５１】
そして、第ｎ持分表Ｔｎにおいて、マーキングされた第ｎのユニット識別欄Ａｎと第ｎの会員番号欄Ｂｎと第ｎの会員名欄Ｃｎと第ｎの持分欄Ｅｎと第ｎのくじ券枚数欄Ｆｎとは、装飾される。例えば、第１持分表Ｔ１において、マーキングされた第１のユニット識別欄Ａ１と第１の会員番号欄Ｂ１と第１の会員名欄Ｃ１と第１の持分欄Ｅ１と第１のくじ券枚数欄Ｆ１とは、装飾される。図３では、装飾された領域を太枠で囲っている。なお、マーキングされた第ｎのくじ券欄Ｄｎを更に装飾してもよい。
【００５２】
なお、本明細書において、「第ｎ持分表Ｔｎの第ｎのユニットＵｎ」又は「第ｎ持分表Ｔｎに含まれる第ｎのユニットＵｎ」と記載する場合の「第ｎのユニットＵｎ」は、第ｎ持分表Ｔｎに含まれる第１のユニットＵ１〜第ＮのユニットＵＮのうちの第ｎのユニットＵｎを示す。第ｎのユニットＵｎに含まれる、第ｎの会員番号欄Ｂｎと、第ｎの会員名欄Ｃｎと、第ｎのくじ券欄Ｄｎと、第ｎの持分欄Ｅｎと、第ｎのくじ券枚数欄Ｆｎとについても同様である。例えば、Ｎ＝１０の場合、第１持分表Ｔ１の第１のユニットＵ１は、第１持分表Ｔ１に含まれる第１のユニットＵ１〜第１０のユニットＵ１０のうちの第１のユニットＵ１を示す。
【００５３】
第１持分表Ｔ１〜第Ｎ持分表ＴＮの各々において、第１のユニット識別欄Ａ１〜第Ｎのユニット識別欄ＡＮには、それぞれ、第１のユニットＵ１〜第ＮのユニットＵＮの識別情報が記載される。実施形態１では、第ｎのユニットＵｎの識別情報は、「ｎ」の示す数字である。第１持分表Ｔ１〜第Ｎ持分表ＴＮの各々において、例えば、第１のユニット識別欄Ａ１には、第１のユニットＵ１の識別情報が記載される。実施形態１では、第１のユニットＵ１の識別情報は、数字「１」である。
【００５４】
第ｎ持分表Ｔｎに含まれる第１の会員番号欄Ｂ１〜第Ｎの会員番号欄ＢＮには、第ｎ会員の会員番号が記載される。例えば、第１持分表Ｔ１に含まれる第１の会員番号欄Ｂ１〜第Ｎの会員番号欄ＢＮには、第１会員の会員番号が記載される。
【００５５】
第１持分表Ｔ１〜第Ｎ持分表ＴＮに含まれる第ｎの会員番号欄Ｂｎには、それぞれ、第１会員〜第Ｎ会員の会員番号が記載される。例えば、第１持分表Ｔ１〜第Ｎ持分表ＴＮに含まれる第１の会員番号欄Ｂ１には、それぞれ、第１会員〜第Ｎ会員の会員番号が記載される。
【００５６】
第ｎ持分表Ｔｎに含まれる第１の会員名欄Ｃ１〜第Ｎの会員名欄ＣＮには、第ｎ会員の会員名（第ｎ対象者の対象者名）が記載される。例えば、第１持分表Ｔ１に含まれる第１の会員名欄Ｃ１〜第Ｎの会員名欄ＣＮには、第１会員の会員名が記載される。第ｎ会員の会員名は、第ｎ会員（第ｎ対象者）を特定する情報の一例である。
【００５７】
第１持分表Ｔ１〜第Ｎ持分表ＴＮに含まれる第ｎの会員名欄Ｃｎ（第ｎの対象者欄、対象者欄）には、それぞれ、第１会員〜第Ｎ会員の会員名（第１対象者〜第Ｎ対象者を特定する情報）が記載される。例えば、第１持分表Ｔ１〜第Ｎ持分表ＴＮに含まれる第１の会員名欄Ｃ１には、それぞれ、第１会員〜第Ｎ会員の会員名が記載される。
【００５８】
第１持分表Ｔ１〜第Ｎ持分表ＴＮの各々において、第１のくじ券欄Ｄ１〜第Ｎのくじ券欄ＤＮに、互いに異なる宝くじ券が割り当てられる。宝くじ券が異なることは、宝くじ券に付与された記号列が異なることを意味する。宝くじ券に付与された記号列は、実施形態１では、宝くじ券に印刷された記号列を示す。
【００５９】
また、第１のくじ券欄Ｄ１〜第Ｎのくじ券欄ＤＮの各々には、単数の宝くじ券が割り当てられてもよいし、複数の宝くじ券が割り当てられてもよい。実施形態１では、第１のくじ券欄Ｄ１〜第Ｎのくじ券欄ＤＮの各々には、１０枚の宝くじ券が割り当てられる。さらに、第１持分表Ｔ１〜第Ｎ持分表ＴＮに含まれる第ｎのくじ券欄Ｄｎに割り当てられる宝くじ券は、同一である。例えば、第１持分表Ｔ１〜第Ｎ持分表ＴＮに含まれる第１のくじ券欄Ｄ１に割り当てられる宝くじ券は、同一である。
【００６０】
第１持分表Ｔ１〜第Ｎ持分表ＴＮの各々において、第１のくじ券欄Ｄ１〜第Ｎのくじ券欄ＤＮには、それぞれ、割り当てられた宝くじ券に付与された記号列が記載される。例えば、第１のくじ券欄Ｄ１には、第１のくじ券欄Ｄ１に割り当てられた宝くじ券に付与された記号列が記載される。
【００６１】
第１持分表Ｔ１〜第Ｎ持分表ＴＮの各々において、第１の持分欄Ｅ１〜第Ｎの持分欄ＥＮには、それぞれ、第１のくじ券欄Ｄ１〜第Ｎのくじ券欄ＤＮに割り当てられた宝くじ券に金銭が付与されたとき金銭の持分が記載される。例えば、第１の持分欄Ｅ１には、第１のくじ券欄Ｄ１に割り当てられた宝くじ券に金銭が付与されたときの金銭の持分が記載される。
【００６２】
ただし、第ｎ持分表Ｔｎに含まれる第ｎの持分欄Ｅｎに記載される持分は、第ｋ持分表Ｔｋに含まれる第ｎの持分欄Ｅｎに記載される持分と異なる。「ｋ」は、１以上Ｎ以下の整数のうち「ｎ」と異なる整数を示す。例えば、第１持分表Ｔ１に含まれる第１の持分欄Ｅ１に記載される持分は、第２持分表Ｔ２〜第Ｎ持分表ＴＮの各々に含まれる第１の持分欄Ｅ１に記載される持分と異なる。
【００６３】
第１持分表Ｔ１〜第Ｎ持分表ＴＮの各々において、第１のくじ券枚数欄Ｆ１〜第Ｎのくじ券枚数欄ＦＮには、それぞれ、第１のくじ券欄Ｄ１〜第Ｎのくじ券欄ＤＮに割り当てられた宝くじ券の枚数が記載される。例えば、第１のくじ券枚数欄Ｆ１には、第１のくじ券欄Ｄ１に割り当てられた宝くじ券の枚数が記載される。
【００６４】
以上、図３を参照して説明したように、実施形態１によれば、第１持分表Ｔ１〜第Ｎ持分表ＴＮに含まれる第ｎのくじ券欄Ｄｎに割り当てられる宝くじ券は、同一である。加えて、第ｎ持分表Ｔｎに含まれる第ｎの持分欄Ｅｎに記載される持分は、第ｋ持分表Ｔｋに含まれる第ｎの持分欄Ｅｎに記載される持分と異なる。従って、第１持分表Ｔ１〜第Ｎ持分表ＴＮは、変則配分方式で決定された持分の記載に好適である。
【００６５】
すなわち、第ｎ持分表Ｔｎに含まれる第ｎのくじ券欄Ｄｎには、第ｎ会員にとって、メイン宝くじ券が割り当てられ、メイン宝くじ券に付与された記号列が記載される。また、第ｎ持分表Ｔｎにおいて、第１のくじ券欄Ｄ１〜第Ｎのくじ券欄ＤＮのうちの第ｎのくじ券欄Ｄｎ以外のくじ券欄には、第ｎ会員にとって、サブ宝くじ券が割り当てられ、サブ宝くじ券に付与された記号列が記載される。加えて、第ｎ持分表Ｔｎに含まれる第ｎの持分欄Ｅｎには、第ｎ会員にとって、メイン持分が記載される。さらに、第ｎ持分表Ｔｎにおいて、第１の持分欄Ｅ１〜第Ｎの持分欄ＥＮのうちの第ｎの持分欄Ｅｎ以外の持分欄には、第ｎ会員にとって、サブ持分が記載される。
【００６６】
例えば、第１会員の第１持分表Ｔ１では、第１のくじ券欄Ｄ１には、メイン宝くじ券が割り当てられ、第２のくじ券欄Ｄ２〜第Ｎのくじ券欄ＤＮには、サブ宝くじ券が割り当てられる。例えば、第１会員の第１持分表Ｔ１では、第１の持分欄Ｅ１には、メイン持分が記載され、第２の持分欄Ｅ２〜第Ｎの持分欄ＥＮには、サブ持分が記載される。
【００６７】
また、図１〜図３を参照して説明したように、実施形態１によれば、持分表発行装置１は、第１会員〜第Ｎ会員に対して、それぞれ、第１持分表Ｔ１〜第Ｎ持分表ＴＮを発行する。そして、第ｎ会員は、第ｎ持分表Ｔｎに含まれる第ｎの持分欄Ｅｎを見ることによって、メイン持分を正確に把握でき、第ｎ持分表Ｔｎに含まれる第ｎの持分欄Ｅｎ以外の持分欄を見ることによって、サブ持分を正確に把握できる。つまり、第ｎ会員は、メイン持分とサブ持分とを有する場合であっても、自己の持分を正確に把握できる。
【００６８】
さらに、実施形態１によれば、第ｎ会員は、第ｎ持分表Ｔｎに含まれる第ｎのくじ券欄Ｄｎを見ることによって、メイン宝くじ券を正確に把握でき、第ｎ持分表Ｔｎに含まれる第ｎのくじ券欄Ｄｎ以外のくじ券欄を見ることによって、サブ宝くじ券を正確に把握できる。
【００６９】
さらに、実施形態１によれば、記号列読取部４０を備えているため、宝くじ券に印刷された記号列を予め読み取ることができる。従って、第ｎ持分表Ｔｎに含まれる第１のくじ券欄Ｄ１〜第Ｎのくじ券欄に、記号列を予め記載することができる。その結果、会員から共同購入の申し込みがあった時に、第ｎ持分表Ｔｎを即座に発行できる。第ｎ持分表Ｔｎを即座に発行できるため、宝くじ券の共同購入に対する煩わしさと不安とを軽減できる。
【００７０】
さらに、実施形態１によれば、第１持分表Ｔ１〜第Ｎ持分表ＴＮは、クーポン欄５ａを含む。従って、第１持分表Ｔ１〜第Ｎ持分表ＴＮの経済的価値及び広告的価値を向上できる。
【００７１】
さらに、実施形態１によれば、フリー枠として、第３者に、宝くじ券に金銭が付与されたときの一部を譲渡できる。具体的には、第１持分表Ｔ１〜第Ｎ持分表ＴＮに含まれる第ｎの持分欄Ｅｎに記載する持分の合計は、第ｎのくじ券欄Ｄｎに割り当てられたくじ券に付与される金銭未満を示す。従って、第ｎのくじ券欄Ｄｎに割り当てられたくじ券に金銭が付与された場合に、第１会員〜第ｎ会員に金銭を分配しても、余剰金が発生する。その結果、余剰金を第３者に分配できる。例えば、社会貢献活動している第３者に余剰金を分配することで、社会貢献活動を支援できる。例えば、第１持分表Ｔ１〜第Ｎ持分表ＴＮに含まれる第１の持分欄Ｅ１に記載する持分の合計は、９９％であり、１００％ではなく、第１のくじ券欄Ｄ１に割り当てられたくじ券に付与される金銭未満を示す。
【００７２】
次に、図４を参照して、実施形態１に係る名簿Ｒについて説明する。図４は、名簿Ｒを示す図である。図４に示すように、持分表発行装置１は、第（Ｎ＋１）持分表Ｔ（Ｎ＋１）を名簿Ｒとして発行する。持分表発行装置１は、名簿Ｒを電子データとして発行する。名簿Ｒの構成は、第１持分表Ｔ１〜第Ｎ持分表ＴＮの各々の構成と同様である。
【００７３】
例えば、名簿Ｒには、第１のくじ券欄Ｄ１（第１の名簿用くじ券欄）〜第Ｎのくじ券欄ＤＮ（第Ｎの名簿用くじ券欄）が含まれる。そして、名簿Ｒに含まれる第１のくじ券欄Ｄ１〜第Ｎのくじ券欄ＤＮには、それぞれ、第ｎ持分表Ｔｎに含まれる第１のくじ券欄Ｄ１〜第Ｎのくじ券欄ＤＮに記載される記号列が記載される。
【００７４】
例えば、名簿Ｒには、第１の会員番号欄Ｂ１〜第Ｎの会員番号欄ＢＮが記載される。ただし、名簿Ｒに含まれる第ｎの会員番号欄Ｂｎには、第ｎ持分表Ｔｎに含まれる第ｎの会員番号欄Ｂｎに記載される会員番号が記載される。具体的には、名簿Ｒに含まれる第１の会員番号欄Ｂ１〜第Ｎの会員番号欄ＢＮには、それぞれ、第１会員〜第Ｎ会員の会員番号が記載される。
【００７５】
例えば、名簿Ｒには、第１の会員名欄Ｃ１（第１の名簿用対象者欄）〜第Ｎの会員名欄ＣＮ（第Ｎの名簿用対象者欄）が含まれる。ただし、名簿Ｒに含まれる第ｎの会員名欄Ｃｎ（第ｎの名簿用対象者欄）には、第ｎ持分表Ｔｎに含まれる第ｎの会員名欄Ｃｎに記載される会員名が記載される。具体的には、名簿Ｒに含まれる第１の会員名欄Ｃ１〜第Ｎの会員名欄ＣＮには、それぞれ、第１会員の会員名〜第Ｎ会員の会員名が記載される。
【００７６】
例えば、名簿Ｒには、第１の持分欄Ｅ１（第１の名簿用持分欄）〜第Ｎの持分欄ＥＮ（第Ｎの名簿用持分欄）が含まれる。ただし、名簿Ｒに含まれる第ｎの持分欄Ｅｎには、第ｎ持分表に含まれる第ｎの持分欄Ｅｎに記載される持分が記載される。例えば、名簿Ｒに含まれる第１の持分欄Ｅ１には、第１持分表に含まれる第１の持分欄Ｅ１に記載される持分が記載される。
【００７７】
以上、図４を参照して説明したように、実施形態１によれば、第ｎ持分表Ｔｎに含まれる第１のくじ券欄Ｄ１〜第Ｎのくじ券欄ＤＮに記載される記号列と、第ｎ持分表Ｔｎに含まれる第ｎの持分欄Ｅｎに記載される持分と、第１会員〜第Ｎ会員の会員名（第１会員〜第Ｎ会員を特定する情報）とに基づいて、宝くじ券を共同購入する際の名簿Ｒを簡易に発行できる。つまり、第１持分表Ｔ１〜第Ｎ持分表ＴＮの記載内容に基づいて名簿Ｒを簡易に発行できる。
【００７８】
次に、図５を参照して、持分表発行装置１の構成について説明する。図５は、持分表発行装置１を示す図である。持分表発行装置１は、制御部１０と、記憶部２０と、通信部３０と、記号列読取部４０とを備える。制御部１０、記憶部２０、及び通信部３０は、例えば、サーバーに搭載される。
【００７９】
制御部１０は、フォーム作成部１１と、クーポン記載部１２と、くじ券割当部１３と、記号列記載部１４と、複写部１５と、マーキング部１６と、持分記載部１７と、会員記載部１８（対象者記載部）と、配分表作成部１９とを含む。クーポン記載部１２、記号列記載部１４、持分記載部１７、及び会員記載部１８は、第１持分表Ｔ１〜第Ｎ持分表ＴＮ及び名簿Ｒへの記載を実行する。具体的には、クーポン記載部１２はクーポン欄５ａにクーポンの使用条件を記載し、記号列記載部１４は第１のくじ券欄Ｄ１〜第Ｎのくじ券欄ＤＮに記号列を記載する。持分記載部１７は第１の持分欄Ｅ１〜第Ｎの持分欄ＥＮに持分を記載し、会員記載部１８は第１の会員名欄Ｃ１〜第Ｎの会員名欄ＣＮに会員名を記載する。
【００８０】
制御部１０は、例えば、ＣＰＵ（Ｃｅｎｔｒａｌ  Ｐｒｏｃｅｓｓｉｎｇ  Ｕｎｉｔ）のようなプロセッサーを含む。記憶部２０は、データ及びコンピュータープログラムを記憶する。記憶部２０は、例えば、半導体メモリーのようなメモリーを含み、ハードディスクドライブを含んでいてもよい。制御部１０のプロセッサーは、記憶部２０に記憶されたコンピュータープログラムを実行することにより、フォーム作成部１１、クーポン記載部１２、くじ券割当部１３、記号列記載部１４、複写部１５、マーキング部１６、持分記載部１７、会員記載部１８、及び配分表作成部１９として機能する。
【００８１】
記憶部２０は、会員エリア２１と、ウェブサイトエリア２２と、持分表エリア２３と、配分表エリア２４とを有する。持分表エリア２３は、単数又は複数のコースエリア２５を含む。実施形態１では、持分表エリア２３は、コースＣ１〜コースＣ３に対応して、３つのコースエリア２５を含む。コースエリア２５の各々は、単数又は複数のグループエリア２６を含む。
【００８２】
記憶部２０は、会員エリア２１に、各会員の個人情報を記憶する。具体的には、記憶部２０は、会員エリア２１に、会員ごとに、会員の識別情報と関連付けて、会員の個人情報を記憶する。個人情報は、例えば、氏名、住所、年齢、性別、電話番号、メールアドレス、金融機関の口座番号、及び希望する支援団体の名称を含む。記憶部２０は、ウェブサイトエリア２２に、ウェブサイトを構成するデータを記憶する。ウェブサイトは、持分表発行装置１の運営者の提供するサービスに関する情報を提供する。また、記憶部２０は、ウェブサイトエリア２２に、複数の会員ページの各々を構成するデータを記憶する。会員ページは、会員ごとに用意されるウェブサイトを示す。会員は、ログインすることによって、会員ページにアクセスできる。配分表エリア２４については後述する。
【００８３】
通信部３０は、ネットワークＮＷを介して、窓口端末２００、会員端末３００、及び運営者端末４００と通信する。通信部３０は、例えば、ネットワーク・インターフェース・コントローラーを含む。
【００８４】
記号列読取部４０は、光学文字認識（ＯＣＲ：Ｏｐｔｉｃａｌ  Ｃｈａｒａｃｔｅｒ  Ｒｅｃｏｇｎｉｔｉｏｎ）機能を有し、宝くじ券に印刷された記号列を光学的に読み取る。
【００８５】
次に、図５〜図１２を参照して、持分表発行装置１が実行する持分表発行方法について説明する。以下では、説明の簡略化のため、１０人の会員（第１会員〜第１０会員）が１グループを構成して宝くじ券を共同購入する。つまり、Ｎ＝１０である。また、１０セットの宝くじ券（第１セット〜第１０セットの宝くじ券）を対象にする。１セットの宝くじ券は、１０枚の宝くじ券からなる。さらに、コースＣ１（図２）用の持分表（第１持分表Ｔ１〜第１０持分表Ｔ１０）を発行する。
【００８６】
図６は、実施形態１に係る持分表発行方法の一部を示すフローチャートである。図７は、実施形態１に係る持分表フォームＰを示す図である。図８は、実施形態１に係る配分表フォームＱを示す図である。
【００８７】
図６に示すように、持分表発行方法は、ステップＳ１〜ステップＳ１７を含み、持分表発行装置１の制御部１０によって実行される。
【００８８】
図５〜図７に示すように、ステップＳ１において、制御部１０のフォーム作成部１１は、持分表フォームＰを作成する。そして、フォーム作成部１１は、コースＣ１に対応するコースエリア２５に、持分表フォームＰを記憶させる。
【００８９】
持分表フォームＰは、クーポンユニット５を有しない点を除き、第ｎ持分表Ｔｎの構成と同様である。すなわち、持分表フォームＰは、タイトルユニット３と、第１のユニットＵ１〜第１０のユニットＵ１０とを含む。ただし、コース欄３ａ、くじ券種別欄３ｂ、グループ欄３ｃ、第ｎのユニット識別欄Ａｎ、第ｎの会員番号欄Ｂｎ、第ｎの会員名欄Ｃｎ、第ｎのくじ券欄Ｄｎ、第ｎの持分欄Ｅｎ、及び第ｎのくじ券枚数欄Ｆｎの各々は、空欄である。
【００９０】
図６に示すように、ステップＳ３において、クーポン記載部１２は、第ｎ持分表Ｔｎにクーポンを設定する命令があるか否かを判定する。否定的判定の場合（ステップＳ３でＮｏ）、処理はステップＳ７に進む。一方、肯定的判定の場合（ステップＳ３でＹｅｓ）、処理はステップＳ５に進む。
【００９１】
ステップＳ５において、クーポン記載部１２は、持分表フォームＰの第１０のユニットＵ１０に隣接して、図３と同様のクーポン欄５ａを作成する。そして、クーポン記載部１２は、クーポン欄５ａに、クーポンの使用条件を記載する。その後、処理はステップＳ７に進む。
【００９２】
図６及び図８に示すように、ステップＳ７において、フォーム作成部１１は、配分表フォームＱを作成する。そして、フォーム作成部１１は、配分表エリア２４に配分表フォームＱを記憶させる。
【００９３】
配分表フォームＱは、配分タイトルユニット５０と、第１の配分ユニットＺ１〜第１０の配分ユニットＺ１０と、フリー枠ユニット６０とを含む。
【００９４】
配分タイトルユニット５０は、空欄の配分用コース欄５０ａと、空欄の配分用くじ券種別欄５０ｂと、空欄の配分用グループ欄５０ｃと、空欄の等級欄５０ｄと、空欄の金銭欄５０ｅとを含む。
【００９５】
配分用コース欄５０ａには、コースの種別が記載され、配分用くじ券種別欄５０ｂには、メイン宝くじ券の種別が記載され、配分用グループ欄５０ｃには、グループ識別情報が記載される。また、等級欄５０ｄには、メイン宝くじ券に金銭が付与されたときの等級（当選等級）が記載される。金銭欄５０ｅには、メイン宝くじ券に付与された金銭の額（当選金額）が記載される。
【００９６】
配分表フォームＱは、空欄の第１の識別欄Ｇ１〜第１０の識別欄Ｇ１０と、空欄の第１の配分用会員番号欄Ｈ１〜第１０の配分用会員番号欄Ｈ１０と、空欄の第１の配分用会員名欄Ｌ１〜第１０の配分用会員名欄Ｌ１０と、空欄の第１の配分用持分欄Ｍ１〜第１０の配分用持分欄Ｍ１０と、空欄の第１の配分用金銭欄Ｖ１〜第１０の配分用金銭欄Ｖ１０と、空欄の第１の金融機関欄Ｗ１〜第１０の金融機関欄Ｗ１０とを含む。
【００９７】
そして、第ｎの配分ユニットＺｎは、第ｎの識別欄Ｇｎと、第ｎの配分用会員番号欄Ｈｎと、第ｎの配分用会員名欄Ｌｎと、第ｎの配分用持分欄Ｍｎと、第ｎの配分用金銭欄Ｖｎと、第ｎの金融機関欄Ｗｎとを含む。
【００９８】
また、第１の配分ユニットＺ１〜第１０の配分ユニットＺ１０は、それぞれ、第１会員〜第１０会員に対応している。
【００９９】
そして、第１の識別欄Ｇ１〜第１０の識別欄Ｇ１０には、それぞれ、第１の配分ユニットＺ１〜第１０の配分ユニットＺ１０の識別情報が記載される。実施形態１では、第ｎの配分ユニットＺｎの識別情報は、「ｎ」の示す数字である。
【０１００】
第１の配分用会員番号欄Ｈ１〜第１０の配分用会員番号欄Ｈ１０には、それぞれ、第１の会員〜第１０の会員の会員番号が記載される。第１の配分用会員名欄Ｌ１〜第１０の配分用会員名欄Ｌ１０には、第１会員〜第１０会員の会員名が記載される。
【０１０１】
第１の配分用持分欄Ｍ１〜第１０の配分用持分欄Ｍ１０のうちの１つには、メイン持分が記載され、他の９つには、サブ持分が記載される。第１の配分用金銭欄Ｖ１〜第１０の配分用金銭欄Ｖ１０のうちの１つには、メイン持分に基づく配分金銭が記載され、他の９つには、サブ持分に基づく配分金銭が記載される。
【０１０２】
第１の金融機関欄Ｗ１〜第１０の金融機関欄Ｗ１０には、それぞれ、第１会員〜第１０会員の指定した金融機関情報（金融機関名及び口座番号）が記載される。
【０１０３】
フリー枠ユニット６０は、空欄の配分欄６０ａと、空欄の配分金銭欄６０ｂと、空欄の第３者欄６０ｃとを含む。配分欄６０ａには、フリー枠として第３者に金銭が配分されるときの第３者の持分が記載される。配分金銭欄６０ｂには、第３者の持分に基づく配分金銭が記載される。第３者欄６０ｃには、第３者の持分に基づく配分金銭が振り込まれる金融機関情報（金融機関名及び口座番号）が記載される。
【０１０４】
図６に示すように、ステップＳ９において、くじ券割当部１３は、宝くじ券の種別を示す情報を取得する。具体的には、宝くじ券の種別を示す情報は、運営者端末４００の入力部４００ａから運営者端末４００に入力される。そして、運営者端末４００は、持分表発行装置１に宝くじ券の種別を示す情報を送信する。そこで、くじ券割当部１３は、ネットワークＮＷ及び通信部３０を介して、宝くじ券の種別を示す情報を取得する。
【０１０５】
ステップＳ１１において、くじ券割当部１３は、宝くじ券の種別を、持分表フォームＰのくじ券種別欄３ｂに記載する。また、くじ券割当部１３はグループ識別情報を作成する。そして、くじ券割当部１３は、グループ識別情報を、持分表フォームＰのグループ欄３ｃに記載する。また、くじ券割当部１３は、コースＣ１を、持分表フォームＰのコース欄３ａに記載する。さらに、くじ券割当部１３は、１セットの宝くじ券の枚数、つまり、「１０」を、第１のくじ券枚数欄Ｆ１〜第１０のくじ券枚数欄Ｆ１０の各々に記載する。
【０１０６】
さらに、くじ券割当部１３は、グループ識別情報に対応するグループエリア２６に、持分表フォームＰを移動及び記憶させる。
【０１０７】
なお、所定期間内に、１人以上の会員が集まらなかった場合は、持分表フォームＰは、グループエリア２６から削除される。また、所定期間内であれば、１人以上の会員が集まるまで、持分表フォームＰは、グループエリア２６に記憶される。
【０１０８】
ステップＳ１３において、記号列記載部１４は、宝くじ券に付与された記号列を取得する。具体的には、記号列読取部４０は、１００枚の宝くじ券を順次読み取り、宝くじ券ごとに、宝くじ券から記号列を取得する。そして、記号列読取部４０は、宝くじ券ごとに、記号列を記号列記載部１４に出力する。そこで、記号列記載部１４は、記号列読取部４０から記号列を取得する。
【０１０９】
例えば、運営者は、宝くじ券を予め準備する。そして、持分表発行装置１が窓口端末２００又は会員端末３００を介して会員から宝くじ券の共同購入の申し込みを受け付ける前に、記号列読取部４０は、宝くじ券に付与された記号列を予め読み取る。従って、持分表発行装置１が宝くじ券の共同購入の申し込みを受け付ける前に、記号列記載部１４は、宝くじ券に付与された記号列を予め取得する。
【０１１０】
ステップＳ１５において、くじ券割当部１３は、持分表フォームＰの第１のくじ券欄Ｄ１〜第１０のくじ券欄Ｄ１０に、それぞれ、互いに異なる宝くじ券を割り当てる。具体的には、くじ券割当部１３は、第１セット〜第１０セットの宝くじ券を、それぞれ、第１のくじ券欄Ｄ１〜第１０のくじ券欄Ｄ１０に割り当てる。
【０１１１】
ステップＳ１７において、記号列記載部１４は、持分表フォームＰの第１のくじ券欄Ｄ１〜第１０のくじ券欄Ｄ１０に、それぞれ、割り当てられた宝くじ券に付与された記号列を記載する。具体的には、記号列記載部１４は、第１のくじ券欄Ｄ１〜第１０のくじ券欄Ｄ１０に、それぞれ、第１セット〜第１０セットの宝くじ券に付与された記号列を記載する。
【０１１２】
例えば、持分表発行装置１が宝くじ券の共同購入の申し込みを受け付ける前に、記号列記載部１４は、第１のくじ券欄Ｄ１〜第１０のくじ券欄Ｄ１０に、宝くじ券に付与された記号列を予め記載する。その結果、持分表発行装置１は、会員が共同購入を申し込んだ時に、第１持分表Ｔ１〜第１０持分表Ｔ１０を即座に発行できる。
【０１１３】
ステップＳ１７の後、処理は、図９のステップＳ１９に進む。
【０１１４】
図９は、持分表発行方法の他の一部を示すフローチャートである。図１０は、第１持分表Ｔ１〜第１１持分表Ｔ１１を示す図である。図１０では、図面の簡略化のため、第２持分表Ｔ２〜第９持分表Ｔ９を省略し、第１０持分表Ｔ１０及び第１１持分表Ｔ１１を縮小するとともに詳細を省略している。
【０１１５】
図９に示すように、持分表発行方法は、ステップＳ１９〜ステップＳ２９をさらに含み、持分表発行装置１の制御部１０によって実行される。
【０１１６】
図９及び図１０に示すように、ステップＳ１９において、複写部１５は、持分表フォームＰを、（Ｎ＋１）部だけ、つまり、１１部だけ複写し、第１持分表Ｔ１〜第１１持分表Ｔ１１を作成する。具体的には、複写部１５は、図６のステップＳ１７の完了直後の持分表フォームＰを複写する。そして、複写部１５は、持分表フォームＰをグループエリア２６から削除する。なお、図１０では、クーポンユニット５を含む例を示している（図６のステップＳ３でＹｅｓ）。
【０１１７】
なお、持分表フォームＰを複写することによって、第１持分表Ｔ１〜第１１持分表Ｔ１１を作成しているため、持分表フォームＰへの記載は、実質的には、第１持分表Ｔ１〜第１１持分表Ｔ１１への記載に相当する。
【０１１８】
ステップＳ２１において、マーキング部１６は、第ｎ持分表Ｔｎの第ｎのユニットＵｎをマーキングする。具体的には、第１持分表Ｔ１の第１のユニットＵ１、…、第１０持分表Ｔ１０の第１０のユニットＵ１０をマーキングする。
【０１１９】
ステップＳ２３において、マーキング部１６は、第１持分表Ｔ１〜第１０持分表Ｔ１０の各々において、第１のユニット識別欄Ａ１〜第１０のユニット識別欄Ａ１０に、それぞれ、第１のユニットＵ１〜第１０のユニットＵ１０の識別情報を記載する。実施形態１では、第１のユニットＵ１〜第１０のユニットＵ１０の識別情報は、それぞれ、「１」から「１０」までの連番である。また、マーキング部１６は、第１１持分表Ｔ１１において、第１のユニット識別欄Ａ１〜第１０のユニット識別欄Ａ１０に、それぞれ、第１のユニットＵ１〜第１０のユニットＵ１０の識別情報を記載する。さらに、マーキング部１６は、マーキングされた第ｎのユニット識別欄Ａｎを装飾する。
【０１２０】
ステップＳ２５において、持分記載部１７は、マーキングされた第ｎの持分欄Ｅｎに、メイン持分、つまり、「９０」を記載する。具体的には、持分記載部１７は、第１持分表Ｔ１においてマーキングされた第１の持分欄Ｅ１、…、第１０持分表Ｔ１０においてマーキングされた第１０の持分欄Ｅ１０に、それぞれ、メイン持分を記載する。また、マーキング部１６は、マーキングされた第ｎの持分欄Ｅｎ及び第ｎのくじ券枚数欄Ｆｎを装飾する。
【０１２１】
ステップＳ２７において、持分記載部１７は、第１持分表Ｔ１〜第１０持分表Ｔ１０の各々において、第１の持分欄Ｅ１〜第１０の持分欄Ｅ１０のうち、マーキングされた第ｎの持分欄Ｅｎ以外の持分欄に、サブ持分、つまり、「１０」を記載する。例えば、持分記載部１７は、第１持分表Ｔ１において、第１の持分欄Ｅ１以外の第２の持分欄Ｅ２〜第１０の持分欄Ｅ１０の各々に、サブ持分、つまり、「１０」を記載する。
【０１２２】
以上、ステップＳ２５及びステップＳ２７によって、第１の持分欄Ｅ１〜第１０の持分欄Ｅ１０に持分が記載される。つまり、持分記載部１７は、第１持分表Ｔ１〜第１０持分表Ｔ１０の各々において、第１の持分欄Ｅ１〜第１０の持分欄Ｅ１０に、それぞれ、第１のくじ券欄Ｄ１〜第１０のくじ券欄Ｄ１０に割り当てられた宝くじ券に金銭が付与されたとき持分を記載する。
【０１２３】
ステップＳ２９において、持分記載部１７は、第（Ｎ＋１）持分表Ｔ（Ｎ＋１）、つまり、第１１持分表Ｔ１１の第１の持分欄Ｅ１〜第１０の持分欄Ｅ１０の各々に、メイン持分、つまり、「９０」を記載する。また、マーキング部１６は、第１１持分表Ｔ１１の第１のユニット識別欄Ａ１〜第１０のユニット識別欄Ａ１０と、第１１持分表Ｔ１１の第１の持分欄Ｅ１〜第１０の持分欄Ｅ１０と、第１１持分表Ｔ１１の第１のくじ券枚数欄Ｆ１〜第１０のくじ券枚数欄Ｆ１０とを装飾する。なお、マーキング部１６は、第１１持分表Ｔ１１にクーポンユニット５が含まれるときは、第１１持分表Ｔ１１からクーポンユニット５を削除することもできる。
【０１２４】
第（Ｎ＋１）持分表Ｔ（Ｎ＋１）、つまり、第１１持分表Ｔ１１は、名簿Ｒとして作成される。
【０１２５】
以上、図５〜図１０を参照して説明したように、持分表発行装置１は、コースＣ１用の第１持分表Ｔ１〜第１０持分表Ｔ１０及び名簿Ｒを作成し、コースＣ１に対応するコースエリア２５のグループエリア２６に記憶させる。
【０１２６】
同様にして、持分表発行装置１は、持分表発行方法を実行して、コースＣ２用の第１持分表Ｔ１〜第１０持分表Ｔ１０及び名簿Ｒを作成し、コースＣ２に対応するコースエリア２５のグループエリア２６に記憶させる。同様にして、持分表発行装置１は、持分表発行方法を実行して、コースＣ３用の第１持分表Ｔ１〜第１０持分表Ｔ１０及び名簿Ｒを作成し、コースＣ３に対応するコースエリア２５のグループエリア２６に記憶させる。
【０１２７】
ただし、図９のステップＳ２９を完了しただけでは、コースＣ１〜コースＣ３用の第１持分表Ｔ１〜第１０持分表Ｔ１０及び名簿Ｒは未完成である。
【０１２８】
そこで、ステップＳ２９の後、処理は、図１１のステップＳ３１に進む。
【０１２９】
図１１は、持分表発行方法の更に他の一部を示すフローチャートである。また、図１１は、窓口端末２００が実行する申込方法を示すフローチャートを含む。実施形態１に係る申込方法は、宝くじ券を共同購入する際の申込方法を示す。図１２は、図９のステップＳ２９の完了直後の第１持分表Ｔ１〜第１０持分表Ｔ１０及び名簿Ｒを示す図である。図１２では、図面の簡略化のため、第２持分表Ｔ２〜第９持分表Ｔ９を省略し、第１０持分表Ｔ１０及び名簿Ｒを縮小するとともに詳細を省略している。
【０１３０】
図１１に示すように、持分表発行方法は、ステップＳ３１〜ステップＳ４７をさらに含み、持分表発行装置１の制御部１０によって実行される。また、申込方法は、ステップＳ５１〜ステップＳ５５を含み、窓口端末２００によって実行される。
【０１３１】
図１１に示すように、ステップＳ３１において、制御部１０は、変数ｊに０を代入する。
【０１３２】
ステップＳ３３において、制御部１０は、変数ｊを１つインクリメントする。
【０１３３】
ステップＳ５１において、窓口端末２００は、ネットワークＮＷを介して、会員の識別情報を持分表発行装置１に送信する。例えば、窓口の担当者が、入力部２００ａに含まれるカードリーダーに、会員カードを差し込むことにより、会員カードに記憶された会員の識別情報を送信してもよい。そして、窓口端末２００に操作画面が表示されてもよい。
【０１３４】
ステップＳ３５において、制御部１０は、ネットワークＮＷ及び通信部３０を介して、会員の識別情報を受信する。そして、制御部１０は、会員の識別情報に基づいて、記憶部２０の会員エリア２１にアクセスする。そして、制御部１０は、会員エリア２１から、会員の識別情報に対応する会員番号及び会員名を取得し、記憶部２０に記憶させる。なお、会員の識別情報が会員番号を示していてもよい。
【０１３５】
ステップＳ５３において、窓口端末２００は、ネットワークＮＷを介して、コース情報を持分表発行装置１に送信する。コース情報は、コースＣ１〜コースＣ３のうちのいずれかを示す情報である。具体的には、コース情報は、窓口端末２００の入力部２００ａから窓口端末２００に入力され、持分表発行装置１に送信される。例えば、窓口の担当者が、会員の希望に沿って、窓口端末２００に表示された操作画面を操作して、コース情報を入力してもよい。
【０１３６】
ステップＳ３７において、制御部１０は、ネットワークＮＷ及び通信部３０を介して、コース情報を受信する。そして、制御部１０は、コース情報の示すコースに対応するコースエリア２５から、第ｊ持分表Ｔｊ及び名簿Ｒを読み出す。さらに、制御部１０は、第ｊ持分表Ｔｊ及び名簿Ｒに対して、ステップＳ３９〜ステップＳ４７の処理を実行する。以下では、コース情報がコースＣ１を示している。
【０１３７】
そして、図１１及び図１２に示すように、ステップＳ３９において、制御部１０の会員記載部１８は、会員の識別情報に対応する会員番号を、第ｊ持分表Ｔｊに含まれる第１の会員番号欄Ｂ１〜第１０の会員番号欄Ｂ１０の各々に記載する。また、会員記載部１８は、会員の識別情報に対応する会員名を、第ｊ持分表Ｔｊに含まれる第１の会員名欄Ｃ１〜第１０の会員名欄Ｃ１０の各々に記載する。また、マーキング部１６は、第ｊ持分表Ｔｊにおいて、マーキングされた第ｊの会員番号欄Ｂｊ及び第ｊの会員名欄Ｃｊを装飾する。ステップＳ３９の完了によって、第ｊ持分表Ｔｊが完成する。例えば、ｊ＝１の場合、図３に示す第１持分表Ｔ１（Ｎ＝１０）が完成する。
【０１３８】
ステップＳ４１において、会員記載部１８は、会員の識別情報に対応する会員番号を、名簿Ｒに含まれる第ｊの会員番号欄Ｂｊに記載する。また、会員記載部１８は、会員の識別情報に対応する会員名を、名簿Ｒに含まれる第ｊの会員名欄Ｃｊに記載する。また、マーキング部１６は、名簿Ｒにおいて、第ｊの会員番号欄Ｂｊ及び第ｊの会員名欄Ｃｊを装飾する。
【０１３９】
ステップＳ４３において、制御部１０は、第ｊ持分表Ｔｊを窓口端末２００に送信する。
【０１４０】
ステップＳ５５において、窓口端末２００は、第ｊ持分表Ｔｊを受信する。そして、窓口端末２００は、第ｊ持分表Ｔｊを表示する。さらに、窓口端末２００は、第ｊ持分表Ｔｊを紙媒体として出力する。
【０１４１】
なお、窓口の担当者が、操作画面上の「確定ボタン」を押下することで、窓口端末２００が確定情報を持分表発行装置１に送信してもよい。そして、持分表発行装置１は、確定情報を受信した後に、第ｊ持分表Ｔｊを窓口端末２００に送信してもよい。
【０１４２】
ステップＳ４５において、制御部１０は、第ｊ持分表Ｔｊを、グループエリア２６からウェブサイトエリア２２に移動及び記憶させる。従って、第ｊ会員は、会員端末３００によって、自己の会員ページにアクセスして、第ｊ持分表Ｔｊを閲覧及び印刷できる。
【０１４３】
ステップＳ４７において、変数ｊが「１０」であるか否か、つまり、第１持分表Ｔ１〜第１０持分表Ｔ１０の全てへの記載が完了したか否かを判定する。否定的判定の場合（ステップＳ４７でＮｏ）、処理はステップＳ３３に進む。一方、肯定的判定の場合（ステップＳ４７でＹｅｓ）、処理は終了する。ステップＳ４７での肯定的判定（Ｙｅｓ）によって、名簿Ｒが完成する。例えば、図４に示す名簿Ｒ（Ｎ＝１０）が完成する。
【０１４４】
なお、図１１を参照して説明したように、窓口端末２００は、ステップＳ５１〜ステップＳ５５を実行する。ただし、会員端末３００も、ステップＳ５１〜ステップＳ５５を実行することができる。この場合、例えば、会員は、会員端末３００によって、運営者のウェブサイトにログインして、コースの選択を行い、コース情報を持分表発行装置１に送信する。さらに、会員は、会員端末３００に表示された操作画面上で、「確定ボタン」を押下し、会員端末３００から持分表発行装置１に確定情報を送信する。持分表発行装置１は、確定情報を受信後、第ｊ持分表Ｔｊを会員端末３００に送信する。
【０１４５】
以上、図５〜図１２を参照して説明したように、実施形態１に係る持分表発行方法は、第１持分表Ｔ１〜第Ｎ持分表ＴＮを発行する。従って、第１会員〜第Ｎ会員は、第１の持分欄Ｅ１〜第Ｎの持分欄ＥＮを見ることによって、メイン持分とサブ持分とを正確に把握できる。加えて、第１会員〜第Ｎ会員は、第１のくじ券欄Ｄ１〜第Ｎのくじ券欄ＤＮを見ることによって、メイン宝くじ券とサブ宝くじ券とを正確に把握できる。
【０１４６】
また、実施形態１によれば、持分表フォームＰを利用することにより、第１持分表Ｔ１〜第Ｎ持分表ＴＮ及び名簿Ｒを効率的に発行できる。また、持分表フォームＰを利用することにより、複数の同一又は異なるグループに対して、第１持分表Ｔ１〜第Ｎ持分表ＴＮを迅速に発行できる。
【０１４７】
さらに、実施形態１によれば、記憶部２０（記憶媒体）は、持分表発行方法（ステップＳ１〜ステップＳ４７）を制御部１０（コンピューター）に実行させるコンピュータープログラムを記憶することができる。つまり、コンピュータープログラムは、制御部１０に持分表発行方法を実行させる。
【０１４８】
次に、図４、図５、図８、及び図１３を参照して、配分表作成方法について説明する。図１３は、実施形態１に係る配分表作成方法を示すフローチャートである。図１３に示すように、配分表作成方法は、ステップＳ２０１〜ステップＳ２１５を含み、持分表発行装置１の制御部１０によって実行される。
【０１４９】
ステップＳ２０１において、制御部１０の配分表作成部１９は、宝くじ券の当選記号列（例えば、当選番号）を取得する。当選記号列とは、当選した記号列のことである。例えば、当選記号列は、運営者端末４００の入力部４００ａから入力され、運営者端末４００から持分表発行装置１に送信される。そして、配分表作成部１９は、当選記号列を取得する。又は、例えば、配分表作成部１９は、ネットワークＮＷ上のウェブサイトから当選記号列を取得する。
【０１５０】
ステップＳ２０３において、配分表作成部１９は、名簿Ｒに含まれる第１のくじ券欄Ｄ１〜第Ｎのくじ券欄ＤＮに記載された複数の記号列から、当選記号列を検索する。検索対象は、記憶部２０に記憶された単数又は複数の名簿Ｒである。
【０１５１】
ステップＳ２０５において、配分表作成部１９は、複数の記号列から当選記号列が検索されたか否か、つまり、複数の記号列に当選記号列が含まれるか否かを判定する。否定的判定の場合（ステップＳ２０５でＮｏ）、処理は終了する。一方、肯定的判定の場合（ステップＳ２０５でＹｅｓ）、処理はステップＳ２０７に進む。
【０１５２】
ステップＳ２０７において、配分表作成部１９は、配分表フォームＱを複写する。そして、配分表作成部１９は、当選記号列の記載された名簿Ｒに対応するグループエリア２６に、複写した配分表フォームＱを記憶させる。名簿Ｒに対応するグループエリア２６は、名簿Ｒのグループ欄３ｃに記載されたグループ識別情報に対応するグループエリア２６を示す。
【０１５３】
ステップＳ２０９において、配分表作成部１９は、当選記号列の記載された名簿Ｒから所定情報を取得し、所定情報を配分表フォームＱに記載する。また、配分表作成部１９は、配分表フォームＱの第１の識別欄Ｇ１〜第１０の識別欄Ｇ１０に、それぞれ、名簿Ｒの第１のユニット識別欄Ａ１〜第１０のユニット識別欄Ａ１０の識別情報を記載する。
【０１５４】
具体的には、配分表作成部１９は、名簿Ｒのコース欄３ａからコースを示す情報を取得し、くじ券種別欄３ｂから宝くじ券の種別を示す情報を取得し、グループ欄３ｃからグループ識別情報を取得する。そして、配分表作成部１９は、コース、宝くじ券の種別、及びグループ識別情報を、それぞれ、配分表フォームＱの配分用コース欄５０ａ、配分用くじ券種別欄５０ｂ、及び配分用グループ欄５０ｃに記載する。また、配分表作成部１９は、名簿Ｒの第１の会員番号欄Ｂ１〜第１０の会員番号欄Ｂ１０から、第１会員〜第１０会員の会員番号を取得し、それぞれ、配分表フォームＱの第１の配分用会員番号欄Ｈ１〜第１０の配分用会員番号欄Ｈ１０に記載する。さらに、配分表作成部１９は、名簿Ｒの第１の会員名欄Ｃ１〜第１０の会員名欄Ｃ１０から、第１会員〜第１０会員の会員名を取得し、それぞれ、配分表フォームＱの第１の配分用会員名欄Ｌ１〜第１０の配分用会員名欄Ｌ１０に記載する。
【０１５５】
ステップＳ２１１において、配分表作成部１９は、配分表フォームＱの第１の配分用持分欄Ｍ１〜第１０の配分用持分欄Ｍ１０に、それぞれ、持分を記載する。
【０１５６】
具体的には、配分表作成部１９は、名簿Ｒの第１のくじ券欄Ｄ１〜第１０のくじ券欄Ｄ１０から、当選記号列が記載されたくじ券欄を特定する。また、配分表作成部１９は、特定したくじ券欄に対応する会員番号欄を、名簿Ｒの第１の会員番号欄Ｂ１〜第１０の会員番号欄Ｂ１０から特定する。そして、配分表作成部１９は、配分用コース欄５０ａに記載したコースによって示されるメイン持分を、第１の配分用持分欄Ｍ１〜第１０の配分用持分欄Ｍ１０のうち、名簿Ｒで特定した会員番号欄の会員番号に対応する配分用持分欄に記載する。つまり、配分表作成部１９は、第１会員〜第１０会員のうちの当選会員に対応する配分用持分欄に、メイン持分を記載する。当選会員とは、当選記号列の付与されたメイン宝くじ券が割り当てられた会員のことである。
【０１５７】
また、配分表作成部１９は、第１の配分用持分欄Ｍ１〜第１０の配分用持分欄Ｍ１０のうち、メイン持分を記載した配分用持分欄以外の配分用持分欄に、配分用コース欄５０ａのコースによって示されるサブ持分を記載する。つまり、配分表作成部１９は、第１会員〜第１０会員のうち、当選会員以外の会員に対応する配分用持分欄に、サブ持分を記載する。
【０１５８】
ステップＳ２１３において、配分表作成部１９は、第１会員〜第１０会員に対する配分金銭を計算し、配分表フォームＱの第１の配分用金銭欄Ｖ１〜第１０の配分用金銭欄Ｖ１０に、それぞれ、配分金銭を記載する。
【０１５９】
具体的には、配分表作成部１９は、当選等級及び当選金額を示す情報を取得する。例えば、当選等級及び当選金額を示す情報は、運営者端末４００の入力部４００ａから入力され、運営者端末４００から持分表発行装置１に送信される。そして、配分表作成部１９は、当選等級及び当選金額を示す情報を取得する。又は、例えば、配分表作成部１９は、ネットワークＮＷ上のウェブサイトから当選等級及び当選金額を示す情報を取得する。配分表作成部１９は、当選等級及び当選金額を、それぞれ、等級欄５０ｄ及び金銭欄５０ｅに記載する。
【０１６０】
さらに、配分表作成部１９は、当選金額とメイン持分とに基づいて、メイン持分に応じた配分金銭を計算する。そして、配分表作成部１９は、第１の配分用金銭欄Ｖ１〜第１０の配分用金銭欄Ｖ１０のうち、名簿Ｒで特定した会員番号欄の会員番号に対応する配分用金銭欄に、配分金銭を記載する。つまり、配分表作成部１９は、第１会員〜第１０会員のうちの当選会員に対応する配分用金銭欄に、メイン持分に応じた配分金銭を記載する。
【０１６１】
さらに、配分表作成部１９は、当選金額とサブ持分とに基づいて、サブ持分に応じた配分金銭を計算する。そして、配分表作成部１９は、第１の配分用金銭欄Ｖ１〜第１０の配分用金銭欄Ｖ１０のうち、メイン持分に応じた配分金銭を記載した配分用金銭欄以外の配分用金銭欄に、配分金銭を記載する。つまり、配分表作成部１９は、第１会員〜第１０会員のうち、当選会員以外の会員に対応する配分用金銭欄に、サブ持分に応じた配分金銭を記載する。
【０１６２】
さらに、配分表作成部１９は、フリー枠に基づく第３者の持分を配分欄６０ａに記載する。また、配分表作成部１９は、フリー枠に基づく第３者の持分と当選金額とに基づいて、フリー枠に基づく第３者の持分に応じた配分金銭を計算する。そして、配分表作成部１９は、配分金銭を配分金銭欄６０ｂに記載する。
【０１６３】
ステップＳ２１５において、配分表作成部１９は、記憶部２０の会員エリア２１から、第１会員〜第１０会員の金融機関情報を取得する。そして、配分表作成部１９は、第１会員〜第１０会員の金融機関情報を、それぞれ、第１の金融機関欄Ｗ１〜第１０の金融機関欄Ｗ１０に記載する。また、配分表作成部１９は、記憶部２０から第３者の金融機関情報を取得する。そして、配分表作成部１９は、第３者の金融機関情報を第３者欄６０ｃに記載する。ステップＳ２１５の完了によって、配分表フォームＱが配分表として完成される。
【０１６４】
なお、例えば、制御部１０は、第１の金融機関欄Ｗ１〜第１０の金融機関欄Ｗ１０及び第３者欄６０ｃに記載された金融機関情報に基づいて、第１の配分用金銭欄Ｖ１〜第１０の配分用金銭欄Ｖ１０及び配分金銭欄６０ｂに記載された配分金銭の入金手続を実行する。
【０１６５】
以上、図１３を参照して説明したように、実施形態１によれば、配分表作成部１９は、名簿Ｒに記載された複数の記号列から当選記号列を検索する。そして、配分表作成部１９は、複数の記号列から当選記号列が検索された場合、メイン持分及びサブ持分に基づいて、配分金銭を計算する。その結果、名簿Ｒに基づいて容易に配分表を作成できる。
【０１６６】
また、実施形態１によれば、記憶部２０は、配分表作成方法（ステップＳ２０１〜ステップＳ２１５）を制御部１０に実行させるコンピュータープログラムを記憶することができる。つまり、コンピュータープログラムは、制御部１０に配分表作成方法を実行させる。
【０１６７】
（実施形態２）
図１、図５、図６、図９、図１４、及び図１５を参照して、本発明の実施形態２に係る持分表発行装置１について説明する。図１に示すように、実施形態２に係る持分表発行システム１００の構成は、実施形態１に係る持分表発行システム１００の構成と同様である。また、図５に示すように、実施形態２に係る持分表発行装置１の構成は、実施形態１に係る持分表発行装置１の構成と同様である。
【０１６８】
ただし、実施形態２に係る持分表発行装置１では、数字選択式宝くじ券（数字選択式くじ券）を共同購入するときの持分表を発行する点で、通常宝くじ券を共同購入するときの持分表を発行する実施形態１に係る持分表発行装置１と異なる。以下、実施形態２が実施形態１と異なる点を主に説明する。
【０１６９】
まず、数字選択式宝くじ券について説明する。数字選択式宝くじ券は、購入者（実施形態２では、会員）が、自分で記号列を選ぶ宝くじ券である。従って、数字選択式宝くじ券は、発売後に、記号列が決定される。数字選択式宝くじ券では、宝くじ券に付与する記号列の入力方法について、手動入力及び自動入力のうちのいずれかを選択できる。手動入力では、窓口端末２００の入力部２００ａ又は会員端末３００の入力部３００ａから、記号列が手動で入力される。自動入力では、コンピューター（例えば、窓口端末２００、会員端末３００、又は持分表発行装置１）が、記号列を作成する。
【０１７０】
例えば、数字選択式宝くじ券では、購入者は、第１所定個数（例えば、３７個）の互いに異なる数字の中から、第２所定個数（例えば、７個）の互いに異なる数字を選ぶ。第１所定個数は第２所定個数よりも大きい。例えば、数字「３」と数字「４」と数字「９」と数字「１１」と数字「１９」と数字「２１」と数字「３６」とが選ばれる。つまり、記号列「４  ９  １１  １９  ２１  ３６」が選ばれる。
【０１７１】
例えば、数字選択式宝くじ券では、購入者は、所定桁数（例えば、４桁）の数字（例えば、００００〜９９９９）の中から、所定桁数の数字を選ぶ。所定桁数は複数である。例えば、数字「００００〜９９９９」の中から、数字「３４９１」が選ばれる。つまり、記号列「３４９１」が選ばれる。
【０１７２】
次に、図１４を参照して、実施形態２に係る第１持分表Ｔ１〜第Ｎ持分表ＴＮ及び名簿Ｒについて説明する。図１４は、第１持分表Ｔ１〜第Ｎ持分表ＴＮ及び名簿Ｒを示す図である。図１４では、図面の簡略化のため、第２持分表Ｔ２〜第（Ｎ−１）持分表Ｔ（Ｎ−１）を省略し、第Ｎ持分表ＴＮ及び名簿Ｒを縮小するとともに詳細を省略している。
【０１７３】
図１４に示すように、第１持分表Ｔ１〜第Ｎ持分表ＴＮの構成は、それぞれ、実施形態１に係る第１持分表Ｔ１〜第Ｎ持分表ＴＮの構成と同様である。ただし、実施形態２では、数字選択式宝くじ券を共同購入するため、第１持分表Ｔ１〜第Ｎ持分表ＴＮは、数字選択式宝くじ券の仕組に応じた構成を有する。
【０１７４】
すなわち、タイトルユニット３のくじ券種別欄３ｂには、宝くじ券の種別（種類及び継続回数）が記載される。また、タイトルユニット３は抽選日欄３ｄをさらに含む。抽選日欄３ｄには、抽選の継続回数に応じて、抽選日が記載される。
【０１７５】
また、くじ券に付与する記号列は、窓口端末２００又は会員端末３００に入力される。そして、持分表発行装置１の記号列記載部１４は、くじ券に付与する記号列を、ネットワークＮＷ及び通信部３０を介して、窓口端末２００又は会員端末３００から取得する。そして、記号列記載部１４は、第１持分表Ｔ１〜第１０持分表Ｔ１０に含まれる第１のくじ券欄Ｄ１〜第１０のくじ券欄Ｄ１０に、窓口端末２００又は会員端末３００から取得した記号列を記載する。
【０１７６】
実施形態２に係る名簿Ｒの構成は、実施形態１に係る名簿Ｒの構成と同様である。ただし、実施形態２に係る名簿Ｒに含まれるくじ券種別欄３ｂには、宝くじ券の種別（種類及び継続回数）が記載される。また、実施形態２に係る名簿Ｒに含まれるタイトルユニット３は抽選日欄３ｄをさらに含む。
【０１７７】
次に、図６、図９、図１４、及び図１５を参照して、実施形態２に係る持分表発行方法について説明する。実施形態２に係る持分表発行方法は、図６及び図９を参照して説明した持分表発行方法と同様である。ただし、実施形態２に係る持分表発行方法は、図６のステップＳ１３〜ステップＳ１７を含まない。また、実施形態２に係る持分表発行方法は、図１１を参照して説明したステップＳ３１〜ステップＳ４７に代えて、図１５に示すステップＳ６１〜ステップＳ８１を含む。また、実施形態２に係る申込方法は、図１１を参照して説明したステップＳ５１〜ステップＳ５５に代えて、図１５に示すステップＳ９１〜ステップＳ１０１を含む。
【０１７８】
図１５は、実施形態２に係る持分表発行方法を示すフローチャートである。図１５に示すように、持分表発行方法は、ステップＳ６１〜ステップＳ８１をさらに含み、持分表発行装置１の制御部１０によって実行される。ステップＳ６１〜ステップＳ６７の処理は、それぞれ、図１１のステップＳ３１〜ステップＳ３７の処理と同様であり、説明を省略する。また、申込方法は、ステップＳ９１〜ステップＳ１０１を含み、窓口端末２００によって実行される。ステップＳ９１及びステップＳ９３の処理は、それぞれ、図１１のステップＳ５１及びステップＳ５３の処理と同様であり、説明を省略する。
【０１７９】
図１５に示すように、ステップＳ９５において、窓口端末２００は、宝くじ券に付与する記号列の入力方法について、手動入力及び自動入力のいずれが選択されたかを判定する。
【０１８０】
自動入力が選択されたと判定された場合、処理はステップＳ９５からステップＳ９７に進む。
【０１８１】
ステップＳ９７において、窓口端末２００は、所定のアルゴリズムに従って記号列を作成する。そして、窓口端末２００は、ネットワークＮＷを介して、記号列を持分表発行装置１に送信する。なお、窓口端末２００は、持分表発行装置１に、記号列を作成する命令を送信し、持分表発行装置１（例えば、記号列記載部１４）に記号列を作成させてもよい。
【０１８２】
一方、手動入力が選択されたと判定された場合、処理はステップＳ９５からステップＳ９９に進む。
【０１８３】
ステップＳ９９において、窓口端末２００は、入力部２００ａを介して、記号列の入力を受け付ける。そして、窓口端末２００は、ネットワークＮＷを介して、記号列を持分表発行装置１に送信する。
【０１８４】
ステップＳ６９において、制御部１０は、ネットワークＮＷ及び通信部３０を介して、記号列を受信する。
【０１８５】
ステップＳ７１において、制御部１０の記号列記載部１４は、第１持分表Ｔ１〜第１０持分表Ｔ１０及び名簿Ｒの各々の第ｊのくじ券欄Ｄｊに記号列を記載する。
【０１８６】
ステップＳ７３において、会員記載部１８は、会員の識別情報に対応する会員番号を、第ｊ持分表Ｔｊに含まれる第１の会員番号欄Ｂ１〜第１０の会員番号欄Ｂ１０の各々に記載する。また、会員記載部１８は、会員の識別情報に対応する会員名を、第ｊ持分表Ｔｊに含まれる第１の会員名欄Ｃ１〜第１０の会員名欄Ｃ１０の各々に記載する。なお、ステップＳ７３の処理は、図１１のステップＳ３９の処理と同様である。
【０１８７】
ステップＳ７５において、会員記載部１８は、会員の識別情報に対応する会員番号を、名簿Ｒに含まれる第ｊの会員番号欄Ｂｊに記載する。また、会員記載部１８は、会員の識別情報に対応する会員名を、名簿Ｒに含まれる第ｊの会員名欄Ｃｊに記載する。なお、ステップＳ７５の処理は、図１１のステップＳ４１の処理と同様である。
【０１８８】
ステップＳ７７において、制御部１０は、第ｊ持分表Ｔｊを窓口端末２００に送信する。また、制御部１０は、第１持分表Ｔ１〜第１０持分表Ｔ１０を複写して、複写した第１持分表Ｔ１〜第１０持分表Ｔ１０を、ウェブサイトエリア２２に記憶させる。従って、第１会員〜第１０会員は、それぞれ、会員端末３００によって、自己の会員ページにアクセスして、第１持分表Ｔ１〜第１０持分表Ｔ１０を閲覧及び印刷できる。つまり、第１会員〜第１０会員は、第１持分表Ｔ１〜第１０持分表Ｔ１０の完成前でも、それぞれ、第１持分表Ｔ１〜第１０持分表Ｔ１０を閲覧及び印刷できる。なお、複写した第１持分表Ｔ１〜第１０持分表Ｔ１０は、ウェブサイトエリア２２において上書きされる。
【０１８９】
ステップＳ１０１において、窓口端末２００は、第ｊ持分表Ｔｊを受信する。そして、窓口端末２００は、第ｊ持分表Ｔｊを紙媒体として出力する。
【０１９０】
ステップＳ７９において、変数ｊが「１０」であるか否か、つまり、第１持分表Ｔ１〜第１０持分表Ｔ１０の全てへの記載が完了したか否かを判定する。否定的判定の場合（ステップＳ７９でＮｏ）、処理はステップＳ６３に進む。一方、肯定的判定の場合（ステップＳ７９でＹｅｓ）、処理はステップＳ８１に進む。ステップＳ７９での肯定的判定（Ｙｅｓ）によって、第１持分表Ｔ１〜第１０持分表Ｔ１０及び名簿Ｒが完成する。例えば、図１４に示す第１持分表Ｔ１〜第１０持分表Ｔ１０及び名簿Ｒ（Ｎ＝１０）が完成する。
【０１９１】
ステップＳ８１において、制御部１０は、第１持分表Ｔ１〜第１０持分表Ｔ１０を、グループエリア２６からウェブサイトエリア２２に移動及び記憶させる。従って、第１会員〜第１０会員は、それぞれ、会員端末３００によって、自己の会員ページにアクセスして、完成した第１持分表Ｔ１〜第１０持分表Ｔ１０を閲覧及び印刷できる。なお、ステップＳ７７で複写して記憶された第１持分表Ｔ１〜第１０持分表Ｔ１０は、ウェブサイトエリア２２から削除される。
【０１９２】
以上、図１５を参照して説明したように、窓口端末２００は、ステップＳ９１〜ステップＳ１０１を実行する。ただし、会員端末３００も、ステップＳ９１〜ステップＳ１０１を実行することができる。
【０１９３】
以上、図１、図５、図６、図９、図１４、及び図１５を参照して説明したように、実施形態２によれば、持分表発行装置１及び持分表発行方法は、実施形態１に係る持分表発行装置１及び持分表発行方法と同様の構成を有し、第１持分表Ｔ１〜第Ｎ持分表ＴＮを発行する。その結果、実施形態２によれば、実施形態１と同様に、第１会員〜第Ｎ会員は、第１の持分欄Ｅ１〜第Ｎの持分欄ＥＮを見ることによって、メイン持分とサブ持分とを正確に把握できる。加えて、第１会員〜第Ｎ会員は、第１のくじ券欄Ｄ１〜第Ｎのくじ券欄ＤＮを見ることによって、メイン宝くじ券とサブ宝くじ券とを正確に把握できる。その他、実施形態２は、実施形態１と同様の効果を有する。
【０１９４】
また、実施形態２によれば、図１５を参照して説明したように、共同購入の対象が数字選択式宝くじ券であっても、第１持分表Ｔ１〜第Ｎ持分表ＴＮを容易に発行できる。具体的には、記号列記載部１４は、窓口端末２００又は会員端末３００から記号列を取得することで、共同購入の対象が数字選択式宝くじ券であっても、第１持分表Ｔ１〜第Ｎ持分表ＴＮを容易に発行できる。
【０１９５】
さらに、実施形態２によれば、記憶部２０は、持分表発行方法（ステップＳ１〜ステップＳ１１、ステップＳ１９〜ステップＳ２９、及びステップＳ６１〜ステップＳ８１）及び配分表作成方法（ステップＳ２０１〜ステップＳ２１５）を制御部１０に実行させるコンピュータープログラムを記憶することができる。つまり、コンピュータープログラムは、制御部１０に持分表発行方法及び配分表作成方法を実行させる。
【０１９６】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（１１））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１９７】
（１）実施形態１及び実施形態２において、宝くじ券の代金を含む共同購入参加費用の決済時点は、次の通りである。すなわち、会員が窓口端末２００を介して申し込む場合は、会員が第ｎ持分表Ｔｎを受け取ると同時に代金を決済する。また、会員が会員端末３００を介して申し込む場合は、申込み時点の冒頭で、申込口数分の代金を自動引き落とし、又は、振り込み決済をした後に、申込手順に進む。
【０１９８】
（２）実施形態２において、数字選択式宝くじ券について、宝くじの購入時点は次の通りである。すなわち、記号列を手動入力する場合であっても、記号列を自動入力する場合であっても、第ｎ持分表Ｔｎに記号列が記載された時点で、持分表発行装置１は、ネットワークＮＷを介して、宝くじ券の発注及び購入の手続きを実行する。
【０１９９】
（３）実施形態１及び実施形態２において、末等当選金は、持分表発行装置１の運営者に分配してもよい。また、宝くじ券の共同購入は、有償であってもよいし、無償であってもよい。例えば、景品提供者が、第１持分表Ｔ１〜第Ｎ持分表ＴＮを景品受領者に景品として提供する場合は、景品受領者にとっては、宝くじ券を無償で共同購入したことになる。さらに、窓口端末２００は、持分表発行装置１の運営者の端末であってもよいし、他の事業者（例えば、景品提供者）の端末であってもよい。さらに、宝くじ券を共同購入できる者は、会員に限定されない。
【０２００】
（４）実施形態１及び実施形態２では、第１持分表Ｔ１〜第Ｎ持分表ＴＮごとに、第１の会員名欄Ｃ１〜第Ｎの会員名欄ＣＮを設けたが、第１持分表Ｔ１〜第Ｎ持分表ＴＮごとに、１つの会員名欄（対象者欄）を設けてもよい。記号列読取部４０は、窓口端末２００又は運営者端末４００に接続されていてもよい。この場合、記号列読取部４０は、窓口端末２００又は運営者端末４００を介して、記号列を制御部１０に送信する。また、記号列読取部４０は、ネットワークＮＷに接続されていてもよい。この場合、記号列読取部４０は、ネットワークＮＷを介して、記号列を制御部１０に送信する。
【０２０１】
（５）実施形態１及び実施形態２において、共同購入の申込期間が経過した時点で、申し込み会員数が、Ｎ人（図６〜図１２及び図１５の例では１０人）未満の場合は、例えば、運営者が、Ｎ人に足りない人数分を補充し、第１持分表Ｔ１〜第Ｎ持分表ＴＮを完成させる。
【０２０２】
（６）実施形態２において、宝くじ券に付与する記号列の入力方法について、自動入力を選択できる。従って、数字選択式宝くじ券が共同購入の対象である場合であっても、全ての記号列を予め取得及び記載できる。
【０２０３】
具体的には、持分表発行装置１は、図６、図９、及び図１１に示す処理を実行する。ただし、図６のステップＳ１３では、記号列読取部４０を使用しない。そこで、記号列記載部１４は、数字選択式宝くじ券に付与可能な記号列のうちから、記号列を予め選択する。つまり、記号列記載部１４は、宝くじ券に付与する記号列を予め作成する。例えば、持分表発行装置１が窓口端末２００又は会員端末３００を介して会員から宝くじ券の共同購入の申し込みを受け付ける前に、記号列記載部１４は、宝くじ券に付与する記号列を予め作成する。そして、ステップＳ１７では、例えば、持分表発行装置１が宝くじ券の共同購入の申し込みを受け付ける前に、記号列記載部１４は、第１のくじ券欄Ｄ１〜第１０のくじ券欄Ｄ１０に記号列を予め記載する。その結果、持分表発行装置１は、会員が共同購入を申し込んだ時に、第１持分表Ｔ１〜第Ｎ持分表ＴＮを即座に発行できる。
【０２０４】
（７）図３を参照して説明した実施形態１及び図１４を参照して説明した実施形態２では、第１持分表Ｔ１〜第Ｎ持分表ＴＮの各々において、第１のくじ券欄Ｄ１〜第Ｎのくじ券欄ＤＮは、ｎの昇順に配列され、第１の持分欄Ｅ１〜第Ｎの持分欄ＥＮは、それぞれ、第１のくじ券欄Ｄ１〜第Ｎのくじ券欄ＤＮに対応して配置された。従って、第ｎ持分表Ｔｎでは、第１〜第Ｎのうち第ｎ番目に、第ｎのくじ券欄Ｄｎ（メイン宝くじ券の記号列を記載）及び第ｎの持分欄Ｅｎ（メイン持分を記載）が配置された。つまり、メイン宝くじ券の記号列とメイン持分とが記載される第ｎのユニットＵｎは、第１持分表Ｔ１〜第Ｎ持分表ＴＮごとに異なる位置に配置されていた。
【０２０５】
ただし、第ｎのユニットＵｎを、第１持分表Ｔ１〜第Ｎ持分表ＴＮの一定の領域に配置することもできる。例えば、図３及び図１４に示すように、第１持分表Ｔ１〜第Ｎ持分表ＴＮの各々において、規定領域ＡＲが定められる。規定領域ＡＲの位置は、第１持分表Ｔ１〜第Ｎ持分表ＴＮにわたって一定である。図３及び図１４では、例えば、規定領域ＡＲは、第１持分表Ｔ１〜第Ｎ持分表ＴＮの各々において、第１のユニットＵ１〜第ＮのユニットＵＮを配置するためのＮ個の領域のうち、最上段の領域である。そして、第１持分表Ｔ１〜第Ｎ持分表ＴＮの各々において、メイン宝くじ券の記号列及びメイン持分が記載される第ｎのユニットＵｎは、規定領域ＡＲに配置される。具体的には、第１持分表Ｔ１〜第Ｎ持分表ＴＮの各々において、第ｎのくじ券欄Ｄｎ（メイン宝くじ券の記号列を記載）及び第ｎの持分欄Ｅｎ（メイン持分を記載）は、規定領域ＡＲに配置される。つまり、第ｎ持分表Ｔｎに含まれる第ｎのくじ券欄Ｄｎ及び第ｎの持分欄Ｅｎは、規定領域ＡＲに配置される。
【０２０６】
（８）実施形態１及び実施形態２に係る第１持分表Ｔ１〜第Ｎ持分表ＴＮの各々において、第１のユニットＵ１〜第ＮのユニットＵＮを、ｎの降順に配列することもできる。また、持分表発行装置１は、第１持分表Ｔ１〜第Ｎ持分表ＴＮ、名簿Ｒ、及び配分表を、電子データとして発行したが、紙媒体として発行することもできる。
【０２０７】
（９）本発明は、通常宝くじ券及び数字選択式宝くじ券への適用に限定されず、例えば、スポーツ振興くじ券、その他の各種くじ券、又は各種抽選券の全般に適用することができる。
【０２０８】
（１０）制御部１０は、１つのコンピューターによって実現されてもよいし、複数のコンピューターによって実現されてもよい。また、制御部１０を複数のコンピューターで実現する場合、それぞれのコンピューターが同じ場所に配置されていなくてもよく、複数のコンピューターがネットワークを介して接続されていればよい。
【０２０９】
（１１）本発明に係る持分表発行装置１を利用したサービスを、くじ券発行元で、一般的な個人単独購入（販売）サービスと併設して提供することで愛好者の選択肢を広げることになり、くじ券の売り上げ拡大に繋がる。
【産業上の利用可能性】
【０２１０】
本発明は、持分表発行装置、持分表発行方法、及びコンピュータープログラムに関するものであり、産業上の利用可能性を有する。
【符号の説明】
【０２１１】
１    持分表発行装置
１３    くじ券割当部
１４    記号列記載部
１７    持分記載部
１８    会員記載部（対象者記載部）
４０    記号列読取部
２００    窓口端末（端末）
３００    会員端末（端末）
ＮＷ    ネットワーク
【図１】
0006271612.tif 000002
【図２】
0006271612.tif 000003
【図３】
0006271612.tif 000004
【図４】
0006271612.tif 000005
【図５】
0006271612.tif 000006
【図６】
0006271612.tif 000007
【図７】
0006271612.tif 000008
【図８】
0006271612.tif 000009
【図９】
0006271612.tif 000010
【図１０】
0006271612.tif 000011
【図１１】
0006271612.tif 000012
【図１２】
0006271612.tif 000013
【図１３】
0006271612.tif 000014
【図１４】
0006271612.tif 000015
【図１５】
0006271612.tif 000016